(57)【特許請求の範囲】
【請求項１】
キャリアアグリゲーション（ＣＡ）を支援する無線接続システムにおいて伝送タイミングを調整する方法であって、前記方法は、
プライマリセル（Ｐｃｅｌｌ）で物理ダウンリンク制御チャネル（ＰＤＣＣＨ）を介してダウンリンク制御情報（ＤＣＩ）フォーマット１Ａを受信することであって、前記ＤＣＩフォーマット１Ａは、最大回数のＨＡＲＱ（Ｈｙｂｒｉｄ  ＡＲＱ）プロセスのうちの一つのＨＡＲＱプロセスを示すＨＡＲＱプロセス回数フィールドを含む、ことと、
少なくとも一つのセカンダリセル（Ｓｃｅｌｌ）に適用される少なくとも一つのタイミングアドバンス（ＴＡ）値を含む媒体接続制御（ＭＡＣ）メッセージを受信することと、
前記少なくとも一つのＳｃｅｌｌに前記ＴＡ値を適用することによりアップリンク信号を伝送することと
を含み、
前記ＤＣＩフォーマット１ＡがＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）でスクランブルされた場合に、前記ＨＡＲＱプロセス回数フィールドは、前記一つのＨＡＲＱプロセスを示す代わりに前記少なくとも一つのタイミングアドバンス（ＴＡ）値が適用される前記少なくとも一つのＳｃｅｌｌを示す、方法。
【請求項２】
前記Ｐｃｅｌｌおよび前記少なくとも一つのＳｃｅｌｌは、インターバンドキャリアアグリゲーションとして集約され、前記Ｐｃｅｌｌおよび前記少なくとも一つのＳｃｅｌｌのキャリア周波数は、互いに対して遠く離れて位置している、請求項１に記載の方法。
【請求項３】
前記少なくとも一つのＴＡ値のうちの一つは、インターバンドの前記少なくとも一つのＳｃｅｌｌに同一に適用される、請求項２に記載の方法。
【請求項４】
キャリアアグリゲーション（ＣＡ）を支援する無線接続システムにおいて伝送タイミングを調整する方法であって、前記方法は、
プライマリセル（Ｐｃｅｌｌ）で物理ダウンリンク制御チャネル（ＰＤＣＣＨ）を介してダウンリンク制御情報（ＤＣＩ）フォーマット１Ａを伝送することであって、前記ＤＣＩフォーマット１Ａは、最大回数のＨＡＲＱ（Ｈｙｂｒｉｄ  ＡＲＱ）プロセスのうちの一つのＨＡＲＱプロセスを示すＨＡＲＱプロセス回数フィールドを含む、ことと、
少なくとも一つのセカンダリセル（Ｓｃｅｌｌ）に適用される少なくとも一つのタイミングアドバンス（ＴＡ）値を含む媒体接続制御（ＭＡＣ）メッセージを伝送することと、
前記少なくとも一つのＳｃｅｌｌに前記少なくとも一つのＴＡ値が適用されるアップリンク信号を受信することと
を含み、
前記ＤＣＩフォーマット１ＡがＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）でスクランブルされた場合に、前記ＨＡＲＱプロセス回数フィールドは、前記一つのＨＡＲＱプロセスを示す代わりに前記少なくとも一つのタイミングアドバンス（ＴＡ）値が適用される前記少なくとも一つのＳｃｅｌｌを示す、方法。
【請求項５】
前記Ｐｃｅｌｌおよび前記少なくとも一つのＳｃｅｌｌは、インターバンドキャリアアグリゲーションとして集約され、前記Ｐｃｅｌｌおよび前記少なくとも一つのＳｃｅｌｌのキャリア周波数は、互いに対して遠く離れて位置している、請求項４に記載の方法。
【請求項６】
前記少なくとも一つのＴＡ値のうちの一つは、インターバンドの前記少なくとも一つのＳｃｅｌｌに同一に適用される、請求項５に記載の方法。
【請求項７】
キャリアアグリゲーション（ＣＡ）を支援する無線接続システムにおいて伝送タイミングを調整するための端末であって、前記端末は、
送信モジュールと、
受信モジュールと、
前記伝送タイミングを調整するように構成されたプロセッサと
を備え、
前記端末は、
前記受信モジュールを介して、プライマリセル（Ｐｃｅｌｌ）で物理ダウンリンク制御チャネル（ＰＤＣＣＨ）を介してダウンリンク制御情報（ＤＣＩ）フォーマット１Ａを受信することであって、前記ＤＣＩフォーマット１Ａは、最大回数のＨＡＲＱ（Ｈｙｂｒｉｄ  ＡＲＱ）プロセスのうちの一つのＨＡＲＱプロセスを示すＨＡＲＱプロセス回数フィールドを含む、ことと、
前記受信モジュールを介して、少なくとも一つのセカンダリセル（Ｓｃｅｌｌ）に適用される少なくとも一つのタイミングアドバンス（ＴＡ）値を含む媒体接続制御（ＭＡＣ）メッセージを受信することと、
前記プロセッサを用いて、前記少なくとも一つのＳｃｅｌｌに前記少なくとも一つのＴＡ値を適用することと、
前記送信モジュールを介して、前記少なくとも一つのＴＡ値によって調整された伝送タイミングでアップリンク信号を伝送することと
を実行するように構成されており、
前記ＤＣＩフォーマット１ＡがＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）でスクランブルされた場合に、前記ＨＡＲＱプロセス回数フィールドは、前記一つのＨＡＲＱプロセスを示す代わりに前記少なくとも一つのタイミングアドバンス（ＴＡ）値が適用される前記少なくとも一つのＳｃｅｌｌを示す、端末。
【請求項８】
前記Ｐｃｅｌｌおよび前記少なくとも一つのＳｃｅｌｌは、インターバンドキャリアアグリゲーションとして集約され、前記Ｐｃｅｌｌおよび前記少なくとも一つのＳｃｅｌｌのキャリア周波数は、互いに対して遠く離れて位置している、請求項７に記載の端末。
【請求項９】
前記少なくとも一つのＴＡ値のうちの一つは、インターバンドの前記少なくとも一つのＳｃｅｌｌに同一に適用される、請求項８に記載の端末。
【発明の詳細な説明】
【技術分野】
【０００１】
本発明は、無線接続システムに係り、特に、キャリアアグリゲーション（ＣＡ：Ｃａｒｒｉｅｒ  Ａｇｇｒｅｇａｔｉｏｎ／Ｍｕｌｔｉｐｌｅ  Ｃｅｌｌｓ）を支援する無線接続システムにおいて、タイミングアドバンス（ＴＡ：Ｔｉｍｉｎｇ  Ａｄｖａｎｃｅ）値を割り当てる方法、ＴＡ値を用いて無線フレーム伝送時間を調整する方法及びこれを支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信パワーなど）を共有してマルチユーザーとの通信を支援できる多重接続（ｍｕｌｔｉｐｌｅ  ａｃｃｅｓｓ）システムのことをいう。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
タイミングアドバンス伝送方式は、基地局と端末間の伝播遅延を考慮して、端末が伝送するアップリンク伝送時間を、受信したダウンリンクフレームよりも優先する時点に伝送する方式を意味する。既存ではプライマリコンポーネントキャリア（すなわち、Ｐセル）でのみタイミングアドバンスが定義されていたため、一つ以上のキャリア（すなわち、サービングセル）が束ねられるキャリアアグリゲーション環境では既存のタイミングアドバンス伝送方式をそのまま用いることができないという問題点があった。
【０００４】
本発明の目的は、效率的にアップリンクフレーム及びダウンリンクフレームを送受信する方法を提供することにある。
【０００５】
本発明の他の目的は、キャリアアグリゲーション環境で複数のタイミングアドバンス（ＴＡ：Ｔｉｍｉｎｇ  Ａｄｖａｎｃｅｄ）／タイミング調整（Ｔｉｍｉｎｇ  Ａｄｊｕｓｔｍｅｎｔ）値を割り当てる方法を提供することにある。
【０００６】
本発明のさらに他の目的は、キャリアアグリゲーション環境において、各サービングセル又はインターバンドに対するＴＡ値を伝送することによって、端末がタイミングアドバンスを行う方法を提供することにある。。
【０００７】
本発明のさらに他の目的は、キャリアアグリゲーション環境において伝送タイミング差値を伝送することによって、端末が該当サービングセル又はインターバンドでタイミングアドバンスを行う方法を提供することにある。
【０００８】
本発明が達成しようとする技術的課題は、以上に言及した事項に制限されず、言及していない別の技術的課題は、以下に説明する本発明の実施例から、本発明の属する技術の分野における通常の知識を有する者にとって考慮されるだろう。
【課題を解決するための手段】
【０００９】
本発明は、キャリアアグリゲーション（ＣＡ）を支援する無線接続システムで用いられるタイミングアドバンス（ＴＡ：Ｔｉｍｉｎｇ  Ａｄｖａｎｃｅ）値を割り当てる方法、ＴＡ値を用いて無線フレーム伝送時間を調整する方法及びこれを支援する装置を提供する。本発明の一様態によれば、キャリアアグリゲーション（ＣＡ）を支援する無線接続システムにおいて伝送タイミングを調整する方法は、一つ以上のサービングセルを指示する予約ビット（例えば、サービングセル指示子）を含む物理ダウンリンク制御チャネル（ＰＤＣＣＨ）信号を受信することと、アップリンク無線フレームに対するタイミングアドバンス（ＴＡ）値を含む媒体接続制御（ＭＡＣ）メッセージを受信することと、予約ビットが指示するサービングセルでＴＡ値を適用してアップリンク信号を伝送することと、を含むことを特徴とする。
【００１０】
本発明の他の様態によれば、キャリアアグリゲーション（ＣＡ）を支援する無線接続システムにおいて伝送タイミングを調整する方法は、基地局が一つ以上のサービングセルを指示する予約ビット（サービングセル指示子）を含む物理ダウンリンク制御チャネル（ＰＤＣＣＨ）信号を伝送することと、基地局がアップリンク無線フレームに対するタイミングアドバンス（ＴＡ）値を含む媒体接続制御（ＭＡＣ）メッセージを伝送することと、予約ビットが指示するサービングセルでＴＡ値が適用されて伝送されたアップリンク信号を受信することと、を含むことを特徴とする。
【００１１】
本発明のさらに他の様態によれば、キャリアアグリゲーション（ＣＡ）を支援する無線接続システムにおいて伝送タイミングを調整するための端末は、送信モジュールと、受信モジュールと、伝送タイミングを調整するためのプロセッサと、を備えることを特徴とする。ここで、端末は、一つ以上のサービングセルを指示する予約ビットを含む物理ダウンリンク制御チャネル（ＰＤＣＣＨ）信号を受信モジュールを介して受信し、アップリンク無線フレームに対するタイミングアドバンス（ＴＡ）値を含む媒体接続制御（ＭＡＣ）メッセージを受信モジュールを介して受信し、プロセッサを用いて、予約ビットが指示するサービングセルでＴＡ値を適用し、ＴＡ値が適用されて調整された伝送タイミングでアップリンク信号を送信モジュールを介して伝送してもよい。
【００１２】
上記の本発明の様態において、ＰＤＣＣＨのダウンリンク制御情報（ＤＣＩ）フォーマットに対する巡回冗長検査（ＣＲＣ）にランダムアクセス識別子（ＲＡ−ＲＮＴＩ）、ページング識別子（Ｐ−ＲＮＴＩ）又はシステム情報識別子（ＳＩ−ＲＮＴＩ）がスクランブルされる場合に、予約ビットは、ＤＣＩフォーマットに含まれるＨＡＲＱプロセス回数フィールドであってもよい。
【００１３】
ここで、ＤＣＩフォーマットは、ダウンリンク共有チャネルに対するスケジューリングのためのＤＣＩフォーマット１Ａであるとよい。
【００１４】
また、予約ビットは、一つ以上のサービングセルで構成されたインターバンドを指示してもよい。ここで、ＴＡ値は、インターバンドに属した一つ以上のサービングセルに同一に適用されると好ましい。
本明細書は、例えば、以下の項目も提供する。
（項目１）
キャリアアグリゲーション（ＣＡ）を支援する無線接続システムにおいて伝送タイミングを調整する方法であって、
一つ以上のサービングセルを指示する予約ビット（サービングセル指示子）を含む物理ダウンリンク制御チャネル（ＰＤＣＣＨ）信号を受信することと、
アップリンク無線フレームに対するタイミングアドバンス（ＴＡ）値を含む媒体接続制御（ＭＡＣ）メッセージを受信することと、
前記予約ビットが指示するサービングセルで前記ＴＡ値を適用してアップリンク信号を伝送することと、
を含む、伝送タイミング調整方法。
（項目２）
前記ＰＤＣＣＨのダウンリンク制御情報（ＤＣＩ）フォーマットに対する巡回冗長検査（ＣＲＣ）にランダムアクセス識別子（ＲＡ−ＲＮＴＩ）、ページング識別子（Ｐ−ＲＮＴＩ）又はシステム情報識別子（ＳＩ−ＲＮＴＩ）がスクランブルされる場合に、
前記予約ビットは、前記ＤＣＩフォーマットに含まれたＨＡＲＱプロセス回数フィールドである、項目１に記載の伝送タイミング調整方法。
（項目３）
前記ＤＣＩフォーマットは、ダウンリンク共有チャネルに対するスケジューリングのためのＤＣＩフォーマット１Ａである、項目２に記載の伝送タイミング調整方法。
（項目４）
前記予約ビットは、前記一つ以上のサービングセルで構成されたインターバンドを指示する、項目１に記載の伝送タイミング調整方法。
（項目５）
前記ＴＡ値は、前記インターバンドに属した前記一つ以上のサービングセルに同一に適用される、項目４に記載の伝送タイミング調整方法。
（項目６）
キャリアアグリゲーション（ＣＡ）を支援する無線接続システムにおいて伝送タイミングを調整する方法であって、
一つ以上のサービングセルを指示する予約ビット（サービングセル指示子）を含む物理ダウンリンク制御チャネル（ＰＤＣＣＨ）信号を伝送することと、
アップリンク無線フレームに対するタイミングアドバンス（ＴＡ）値を含む媒体接続制御（ＭＡＣ）メッセージを伝送することと、
前記予約ビットが指示するサービングセルで前記ＴＡ値が適用されて伝送されたアップリンク信号を受信することと、
を含む、伝送タイミング調整方法。
（項目７）
前記ＰＤＣＣＨのダウンリンク制御情報（ＤＣＩ）フォーマットに対する巡回冗長検査（ＣＲＣ）にランダムアクセス識別子（ＲＡ−ＲＮＴＩ）、ページング識別子（Ｐ−ＲＮＴＩ）又はシステム情報識別子（ＳＩ−ＲＮＴＩ）がスクランブルされる場合に、
前記予約ビットは、前記ＤＣＩフォーマットに含まれたＨＡＲＱプロセス回数フィールドである、項目６に記載の伝送タイミング調整方法。
（項目８）
前記ＤＣＩフォーマットは、ダウンリンク共有チャネルに対するスケジューリングのためのＤＣＩフォーマット１Ａである、項目７に記載の伝送タイミング調整方法。
（項目９）
前記予約ビットは、前記一つ以上のサービングセルで構成されたインターバンドを指示する、項目６に記載の伝送タイミング調整方法。
（項目１０）
前記ＴＡ値は、前記インターバンドに属した前記一つ以上のサービングセルに同一に適用される、項目９に記載の伝送タイミング調整方法。
（項目１１）
キャリアアグリゲーション（ＣＡ）を支援する無線接続システムにおいて伝送タイミングを調整するための端末であって、
送信モジュールと、
受信モジュールと、
前記伝送タイミングを調整するためのプロセッサと、
を備え、
前記端末は、
一つ以上のサービングセルを指示する予約ビットを含む物理ダウンリンク制御チャネル（ＰＤＣＣＨ）信号を前記受信モジュールを介して受信し、
アップリンク無線フレームに対するタイミングアドバンス（ＴＡ）値を含む媒体接続制御（ＭＡＣ）メッセージを前記受信モジュールを介して受信し、
前記プロセッサを用いて、前記予約ビットが指示するサービングセルで前記ＴＡ値を適用し、
前記ＴＡ値が適用されて調整された伝送タイミングでアップリンク信号を前記送信モジュールを介して伝送することを特徴とする、端末。
（項目１２）
前記ＰＤＣＣＨのダウンリンク制御情報（ＤＣＩ）フォーマットに対する巡回冗長検査（ＣＲＣ）にランダムアクセス識別子（ＲＡ−ＲＮＴＩ）、ページング識別子（Ｐ−ＲＮＴＩ）又はシステム情報識別子（ＳＩ−ＲＮＴＩ）がスクランブルされる場合に、
前記予約ビットは、前記ＤＣＩフォーマットに含まれたＨＡＲＱプロセス回数フィールドである、項目１１に記載の端末。
（項目１３）
前記ＤＣＩフォーマットは、ダウンリンク共有チャネルに対するスケジューリングのためのＤＣＩフォーマット１Ａである、項目１２に記載の端末。
（項目１４）
前記予約ビットは、前記一つ以上のサービングセルで構成されたインターバンドを指示する、項目１１に記載の端末。
（項目１５）
前記ＴＡ値は、前記インターバンドに属した前記一つ以上のサービングセルに同一に適用される、項目１４に記載の端末。
【００１５】
以上の本発明の様態は、本発明の好適な実施例の一部に過ぎず、本発明の技術的特徴が反映された様々な実施例が、当該技術の分野における通常の知識を有する者にとって、後述する本発明の詳細な説明から導出され理解されるであろう。
【発明の効果】
【００１６】
本発明の実施例によれば、下記のような効果が得られる。
【００１７】
第一に、端末及び基地局は效率的にアップリンク（ＵＬ）フレーム及びダウンリンク（ＤＬ）フレームを送受信することができる。
【００１８】
第二に、端末はキャリアアグリゲーション環境でもタイミングアドバンス（ＴＡ）値を用いてＵＬ無線フレームを正確に伝送することができる。
【００１９】
第三に、インターバンドＣＡ状況で多重ＴＡ値を支援することによって、端末はＵＬ無線フレームの送信時点を調整することができる。
【００２０】
第四に、キャリアアグリゲーション環境でも基地局は多重ＴＡ値を用いてシンボル内干渉（ＩＳＩ：Ｉｎｔｅｒ−Ｓｙｍｂｏｌ  Ｉｎｔｅｒｆｅｒｅｎｃｅ）に影響されることなくＵＬ信号を受信することができる。
【００２１】
本発明の実施例から得られる効果は以上に言及した効果に制限されず、言及していない他の効果は、以下の本発明の実施例についての記載から、本発明の属する技術の分野における通常の知識を有する者にとっては明確に導出及び理解されるであろう。すなわち、本発明を実施する上での意図しなかった効果も、本発明の実施例から、当該技術の分野における通常の知識を有する者にとって導出されるであろう。
【図面の簡単な説明】
【００２２】
本発明に関する理解を助けるために詳細な説明の一部として含まれ、本発明の様々な実施例を提供し、且つ、詳細な説明と共に本発明の実施形態を説明するために用いられる、添付の図面は、下記の通りである。
【図１】本発明の実施例で使用可能な物理チャネル及びこれらを用いた信号伝送方法を説明するための図である。
【図２】本発明の実施例で用いられる無線フレームの構造を示す図である。
【図３】本発明の実施例で使用可能なダウンリンクスロットのリソースグリッド（ｒｅｓｏｕｒｃｅ  ｇｒｉｄ）を例示する図である。
【図４】本発明の実施例で使用可能なアップリンクサブフレームの構造を示す図である。
【図５】本発明の実施例で使用可能なダウンリンクサブフレームの構造を示す図である。
【図６】本発明の実施例で用いられるコンポーネントキャリア（ＣＣ）及びＬＴＥ−Ａシステムで用いられるキャリアアグリゲーションの一例を示す図である。
【図７】本発明の実施例で用いられるクロスキャリアスケジューリングによるＬＴＥ−Ａシステムのサブフレーム構造を示す図である。
【図８】本発明の実施例で用いられるアップリンクーダウンリンクタイミングの関係の一つを示す図である。
【図９】本発明の実施例で用いられるＴＡＣ  ＭＡＣ制御要素の一例を示す図である。
【図１０】本発明の実施例で用いられるＭＡＣ  ＰＤＵサブヘッダーの一例を示す図である。
【図１１】本発明の実施例で用いられるＭＡＣ  ＲＡＲの一例を示す図である。
【図１２】本発明の実施例で用いられるＭＡＣヘッダー及びＭＡＣ  ＲＡＲを含むＭＡＣ  ＰＤＵの一例を示す図である。
【図１３】本発明の実施例で用いられるタイミング調整で考慮される往復遅延値を示す図である。
【図１４】本発明の実施例で用いられるＴＡ値を用いたＤＬ／ＵＬ伝送タイミングの一例を示す図である。
【図１５】本発明の実施例であって、１つの端末に２つのセルが構成された状況で各セル間送信タイミングが一致する場合を示す図である。
【図１６】本発明の実施例であって、１つの端末に２つのセルが構成された状況で各セル間送信タイミングが一致しない場合を示す図である。
【図１７】本発明の実施例であって、ＤＣＩフォーマットを用いてＴＡ値を割り当てる方法を示す図である。
【図１８】図１乃至図１７で説明した方法を具現できる装置を示す図である。
【発明を実施するための形態】
【００２３】
本発明の実施例は、キャリアアグリゲーション（ＣＡ）を支援する無線接続システムで用いられるタイミングアドバンス（ＴＡ：Ｔｉｍｉｎｇ  Ａｄｖａｎｃｅ）値を割り当てる方法、ＴＡ値を用いて無線フレーム伝送時間を調整する方法及びこれを支援する装置に関する。
【００２４】
以下の実施例は、本発明の構成要素及び特徴を所定の形態で結合したものである。各構成要素又は特徴は、別に明示しない限り、選択的なものとして考慮されるとよい。各構成要素又は特徴を他の構成要素や特徴と結合しない形態で実施してもよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００２５】
図面についての説明において、本発明の要旨を曖昧にするような手順又は段階などは記述を省略し、当業者のレベルで理解できるような手順又は段階も記述を省略した。
【００２６】
本明細書では、本発明の実施例を、基地局と移動局との間におけるデータ送受信の関係を中心に説明する。ここで、基地局は、移動局と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２７】
すなわち、基地局を含む複数のネットワークノード（ｎｅｔｗｏｒｋ  ｎｏｄｅｓ）からなるネットワークにおいて、移動局との通信のために行われる種々の動作は、基地局、又は基地局以外の他のネットワークノードにより行われる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、進展した基地局（ＡＢＳ：Ａｄｖａｎｃｅｄ  Ｂａｓｅ  Ｓｔａｔｉｏｎ）、アクセスポイント（ＡＰ：Ａｃｃｅｓｓ  Ｐｏｉｎｔ）などの用語に代えてもよい。
【００２８】
また、本発明の実施例において、「端末（Ｔｅｒｍｉｎａｌ）」は、ユーザー機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、進展した端末（ＡＭＳ：Ａｄｖａｎｃｅｄ  Ｍｏｂｉｌｅ  Ｓｔａｔｉｏｎ）などの用語に代えてもよい。
【００２９】
また、送信端は、データサービス又は音声サービスを提供する固定及び／又は移動ノードのことを指し、受信端は、データサービス又は音声サービスを受信する固定及び／又は移動ノードのことを指す。そのため、アップリンクでは、移動局が送信端になり、基地局が受信端になり、同様に、ダウンリンクでは、端末が受信端になり、基地局が送信端になる。
【００３０】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムの少なくとも一つに開示された標準文書でサポートでき、特に、本発明の実施例は、３ＧＰＰ  ＴＳ  ３６．２１１、３ＧＰＰ  ＴＳ  ３６．２１２、３ＧＰＰ  ＴＳ  ３６．２１３及び３ＧＰＰ  ＴＳ  ３６．３２１の文書でサポートできる。すなわち、本発明の実施例において説明していない自明な段階又は部分については上記文書を参照して説明すればよく、また、本文書で開示している全ての用語についても上記標準文書を参照して説明すればよい。
【００３１】
以下、本発明の好適な実施の形態を、添付の図面を参照して詳細に説明する。添付の図面と共に以下に開示される詳細な説明は、本発明の例示的な実施の形態を説明するためのもので、本発明の唯一の実施の形態を示すためのものではない。
【００３２】
また、本発明の実施例で用いられる特定用語は、本発明の理解を助けるために提供されるもので、これらの特定用語の使用は、本発明の技術的思想から逸脱しない範囲で別の形態に変更されてもよい。
【００３３】
例えば、本発明の実施例で使われるタイミングアドバンス（ＴＡ）は、時間優先、タイミング調整（Ｔｉｍｉｎｇ  Ａｄｊｕｓｔｍｅｎｔ）、又は時間調整などの用語と同一の意味で使われてもよい。
【００３４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの種々の無線接続システムに適用可能である。
【００３５】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現可能である。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現可能である。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）のような無線技術で具現可能である。
【００３６】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）システムは、３ＧＰＰ  ＬＴＥから進展したシステムである。本発明の技術的特徴についての説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどにも適用可能である。
【００３７】
１．３ＧＰＰ  ＬＴＥ／ＬＴＥ−Ａシステム
無線接続システムにおいて端末はダウンリンク（ＤＬ：Ｄｏｗｎｌｉｎｋ）で基地局から情報を受信し、アップリンク（ＵＬ：Ｕｐｌｉｎｋ）で基地局に情報を伝送する。基地局と端末が送受信する情報には一般のデータ情報及び種々の制御情報があり、基地局と端末が送受信する情報の種類／用途によって様々な物理チャネルが存在する。
【００３８】
１．１  システム一般
図１は、本発明の実施例で使用可能な物理チャネル及びこれらを用いた信号伝送方法を説明するための図である。
【００３９】
電源が消えた状態で再び電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局からプライマリ動期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ動期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を獲得する。
【００４０】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内の放送情報を獲得することができる。一方、端末は初期セル探索段階でダウンリンク参照信号（ＤＬ  ＲＳ：Ｄｏｗｎｌｉｎｋ  Ｒｅｆｅｒｅｎｃｅ  Ｓｉｇｎａｌ）を受信してダウンリンクチャネル状態を確認することもできる。
【００４１】
初期セル探索を終えた端末は、Ｓ１２段階で、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理ダウンリンク制御チャネル情報に基づく物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００４２】
その後、端末は基地局への接続を完了するために、段階Ｓ１３乃至段階Ｓ１６のようなランダムアクセス手順（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブル（ｐｒｅａｍｂｌｅ）を伝送し（Ｓ１３）、物理ダウンリンク制御チャネル及びこれに対応する物理ダウンリンク共有チャネルを介してプリアンブルに対する応答メッセージを受信することができる（Ｓ１４）。競合ベースのランダムアクセスでは、端末は追加的な物理ランダムアクセスチャネル信号の伝送（Ｓ１５）、及び物理ダウンリンク制御チャネル信号及びこれに対応する物理ダウンリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行ってもよい。
【００４３】
上述したような手順を行った端末は、以降、一般的なアップリンク／ダウンリンク信号伝送手順として、物理ダウンリンク制御チャネル信号及び／又は物理ダウンリンク共有チャネル信号の受信（Ｓ１７）、及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の伝送（Ｓ１８）を行うことができる。
【００４４】
端末が基地局に伝送する制御情報を総称してアップリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００４５】
ＬＴＥシステムにおいてＵＣＩは主としてＰＵＣＣＨを介して周期的に伝送されるが、制御情報とトラフィックデータが同時に伝送されるべき場合にはＰＵＳＣＨを介して伝送されることもある。また、ネットワークの要請／指示に応じてＰＵＳＣＨを介してＵＣＩを非周期的に伝送することもある。
【００４６】
図２は、本発明の実施例で用いられる無線フレームの構造を示す図である。
【００４７】
図２（ａ）は、タイプ１フレーム構造（ｆｒａｍｅ  ｓｔｒｕｃｔｕｒｅ  ｔｙｐｅ  １）を示している。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも、半二重（ｈａｌｆ  ｄｕｐｌｅｘ）ＦＤＤシステムにも適用可能である。
【００４８】
１つの無線フレーム（ｒａｄｉｏ  ｆｒａｍｅ）は、
【００４９】
【化１】
0006039652.tif 000002
の長さを有し、
【００５０】
【化２】
0006039652.tif 000003
の均等な長さを有し、０〜１９のインデックスが付与された２０個のスロットで構成される。１つのサブフレームは、２個の連続したスロットと定義され、ｉ番目のサブフレームは、２ｉと２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１つのサブフレームを伝送するのにかかる時間をＴＴＩ（ｔｒａｎｓｍｉｓｓｉｏｎ  ｔｉｍｅ  ｉｎｔｅｒｖａｌ）という。ここで、Ｔｓは、サンプリング時間を表し、Ｔｓ＝１／（１５ｋＨｚ×２０４８）＝３．２５５２×１０−８（約３３ｎｓ）と表示される。スロットは、時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００５１】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、ダウンリンクでＯＦＤＭＡを使用するので、ＯＦＤＭシンボルは１つのシンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間と呼ぶこともできる。リソースブロック（ｒｅｓｏｕｒｃｅ  ｂｌｏｃｋ）はリソース割当単位であり、１つのスロットで複数の連続した副搬送波（ｓｕｂｃａｒｒｉｅｒ）を含む。
【００５２】
全二重ＦＤＤシステムでは、各１０ｍｓ区間における１０個のサブフレームをダウンリンク伝送とアップリンク伝送のために同時に用いることができる。このとき、アップリンクとダウンリンク伝送は周波数領域で分離される。これに対し、半二重ＦＤＤシステムにおいて端末は伝送と受信を同時に行うことができない。
【００５３】
上述した無線フレームの構造は一例に過ぎず、無線フレームに含まれるサブフレームの数、サブフレームに含まれるスロットの数、又はスロットに含まれるＯＦＤＭシンボルの数は様々に変更されてもよい。
【００５４】
図２（ｂ）は、タイプ２フレーム構造（ｆｒａｍｅ  ｓｔｒｕｃｔｕｒｅ  ｔｙｐｅ２）を示している。タイプ２フレーム構造は、ＴＤＤシステムに適用される。１つの無線フレーム（ｒａｄｉｏ  ｆｒａｍｅ）は
【００５５】
【化３】
0006039652.tif 000004
の長さを有し、
【００５６】
【化４】
0006039652.tif 000005
の長さを有する２個のハーフフレーム（ｈａｌｆ−ｆｒａｍｅ）で構成される。各ハーフフレームは、
【００５７】
【化５】
0006039652.tif 000006
の長さを有する５個のサブフレームで構成される。ｉ番目のサブフレームは、２ｉと２ｉ＋１に該当する各
【００５８】
【化６】
0006039652.tif 000007
の長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００５９】
タイプ２フレームには、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り伝送同期を合わせるのに用いられる。保護区間は、アップリンクとダウンリンクとの間に、ダウンリンク信号の多重経路遅延によりアップリンクで生じる干渉を除去するための区間である。
【００６０】
下記の表１は、特別フレームの構成（ＤｗＰＴＳ／ＧＰ／ＵｐＰＴＳの長さ）を表すものである。
【００６１】
【表１】
0006039652.tif 000008
図３は、本発明の実施例で使用可能なダウンリンクスロットのリソースグリッド（ｒｅｓｏｕｒｃｅ  ｇｒｉｄ）を例示する図である。
【００６２】
図３を参照すると、１つのダウンリンクスロットは、時間領域において複数のＯＦＤＭシンボルを含む。ここで、１つのダウンリンクスロットは７個のＯＦＤＭシンボルを含み、１つのリソースブロックは周波数領域において１２個の副搬送波を含む例を取り上げるが、これに限定されるものではない。
【００６３】
リソースグリッド上で各要素（ｅｌｅｍｅｎｔ）をリソース要素（ｒｅｓｏｕｒｃｅ  ｅｌｅｍｅｎｔ）と呼び、１つのリソースブロックは１２×７個のリソース要素を含む。ダウンリンクスロットに含まれるリソースブロックの数ＮＤＬは、ダウンリンク伝送帯域幅（ｂａｎｄｗｉｄｔｈ）に依存する。アップリンクスロットの構造は、ダウンリンクスロットの構造と同一でよい。
【００６４】
図４は、本発明の実施例で使用可能なアップリンクサブフレームの構造を示す図である。
【００６５】
図４を参照すると、アップリンクサブフレームは、周波数領域において制御領域とデータ領域とに分けられる。制御領域にはアップリンク制御情報を運ぶＰＵＣＣＨが割り当てられる。データ領域にはユーザーデータを運ぶＰＵＳＣＨが割り当てられる。単一搬送波特性を維持するために、１つの端末はＰＵＣＣＨとＰＵＳＣＨを同時に伝送しない。１つの端末に対するＰＵＣＣＨには、サブフレーム内にＲＢ対が割り当てられる。ＲＢ対に属するＲＢは、２個のスロットのそれぞれにおいて異なったの副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）するという。
【００６６】
図５は、本発明の実施例で使用可能なダウンリンクサブフレームの構造を示す図である。
【００６７】
図５を参照すると、サブフレーム内の１番目のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられるダウンリンク制御チャネルの一例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６８】
ＰＣＦＩＣＨは、サブフレームの１番目のＯＦＤＭシンボルで伝送され、サブフレーム内に制御チャネルの伝送のために用いられるＯＦＤＭシンボルの数（すなわち、制御領域の大きさ）に関する情報を運ぶ。ＰＨＩＣＨは、アップリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して伝送される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンクリソース割当情報、ダウンリンクリソース割当情報又は任意の端末グループに対するアップリンク伝送（Ｔｘ）パワー制御命令を含む。
【００６９】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
１．２．１  ＰＤＣＣＨ一般
ＰＤＣＣＨは、ＤＬ−ＳＣＨ（Ｄｏｗｎｌｉｎｋ  Ｓｈａｒｅｄ  Ｃｈａｎｎｅｌ）のリソース割当及び伝送フォーマット（すなわち、ダウンリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割当情報（すなわち、アップリンクグラント（ＵＬ−Ｇｒａｎｔ））、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで伝送されるランダムアクセス応答（ｒａｎｄｏｍ  ａｃｃｅｓｓ  ｒｅｓｐｏｎｓｅ）のような上位レイヤー（ｕｐｐｅｒ−ｌａｙｅｒ）制御メッセージに対するリソース割当、任意の端末グループ内の個別端末に対する伝送パワー制御命令の集合、ＶｏＩＰ（Ｖｏｉｃｅ  ｏｖｅｒ  ＩＰ）活性化の有無に関する情報などを運ぶことができる。
【００７０】
複数のＰＤＣＣＨが制御領域内で伝送されることがあり、端末は複数のＰＤＣＣＨをモニタリングできる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又はいくつかの連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域で伝送される。ＣＣＥは、無線チャネルの状態に応じた符号化率をＰＤＣＣＨに提供するために用いられる論理的割当単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥにより提供される符号化率との関係によって、ＰＤＣＣＨのフォーマット及び可能なＰＤＣＣＨのビット数が決定される。
【００７１】
１．２．２  ＰＤＣＣＨ構造
複数の端末に対する多重化した複数のＰＤＣＣＨが制御領域内で伝送されることがある。ＰＤＣＣＨは、１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマッピングされる。参照信号（ＲＳ：Ｒｅｆｅｒｅｎｃｅ  Ｓｉｇｎａｌ）に占有されたリソース要素は、ＲＥＧに含まれない。すなわち、ＯＦＤＭシンボル内でＲＥＧの総個数は、セル特定参照信号が存在するか否かによって異なることがある。４個のリソース要素を１つのグループにマッピングするＲＥＧの概念は、他のダウンリンク制御チャネル（例えば、ＰＣＦＩＣＨ又はＰＨＩＣＨ）にも適用可能である。ＰＣＦＩＣＨ又はＰＨＩＣＨに割り当てられないＲＥＧを
【００７２】
【化７】
0006039652.tif 000009
とすれば、システムで利用可能なＣＣＥの個数は
【００７３】
【化８】
0006039652.tif 000010
であり、各ＣＣＥは
【００７４】
【化９】
0006039652.tif 000011
までのインデックスを有する。
【００７５】
端末のデコーディングプロセスを単純化するには、ｎ個のＣＣＥを含むＰＤＣＣＨフォーマットが、ｎの倍数と同じインデックスを有するＣＣＥから始まればよい。すなわち、ＣＣＥインデックスがｉである場合、
【００７６】
【化１０】
0006039652.tif 000012
を満たすＣＣＥから始まればよい。
【００７７】
基地局は、１つのＰＤＣＣＨ信号を構成するために｛１，２，４，８｝個のＣＣＥを使用することができ、この｛１，２，４，８｝をＣＣＥ集合レベル（ａｇｇｒｅｇａｔｉｏｎ  ｌｅｖｅｌ）と呼ぶ。特定ＰＤＣＣＨの伝送のために用いられるＣＣＥの個数は、チャネル状態に基づいて基地局で決定される。例えば、良好なダウンリンクチャネル状態（基地局に近い場合）を有する端末のためのＰＤＣＣＨは、１つのＣＣＥだけで充分であろう。一方、良好でないチャネル状態（セル境界にある場合）を有する端末については、８個のＣＣＥが、充分なロバスト性（ｒｏｂｕｓｔｎｅｓｓ）のために要求されることがある。しかも、ＰＤＣＣＨのパワーレベルもチャネル状態にマッチするように調節されるとよい。
【００７８】
下記の表２は、ＰＤＣＣＨフォーマットを表するものである。ＣＣＥ集合レベルによって、表２のように４種類のＰＤＣＣＨフォーマットが支援される。
【００７９】
【表２】
0006039652.tif 000013
端末ごとにＣＣＥ集合レベルが異なる理由は、ＰＤＣＣＨに含まれる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルは、リンク適応（ｌｉｎｋ  ａｄａｐｔａｔｉｏｎ）のために用いられる。一般に、制御情報を伝送する制御チャネルでは３〜４個程度のＭＣＳレベルを考慮すればよい。
【００８０】
制御情報のフォーマットについて説明すると次の通りである。ＰＤＣＣＨを介して伝送される制御情報をダウンリンク制御情報（ＤＣＩ）という。ＤＣＩフォーマットによってＰＤＣＣＨペイロード（ｐａｙｌｏａｄ）に載せられる情報の構成が異なることがある。ＰＤＣＣＨペイロードは情報ビット（ｉｎｆｏｒｍａｔｉｏｎ  ｂｉｔ）を意味する。下記の表３は、ＤＣＩフォーマットによるＤＣＩを表すものである。
【００８１】
【表３】
0006039652.tif 000014
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎ  ｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の伝送のためのフォーマット３及び３Ａがある。ＤＣＩフォーマット１Ａは、端末にいかなる伝送モードが設定されてもＰＤＳＣＨスケジューリングのために用いることができる。
【００８２】
ＤＣＩフォーマットによってＰＤＣＣＨペイロード長が異なることがある。また、ＰＤＣＣＨペイロードの種類とそれによる長さは、簡単な（ｃｏｍｐａｃｔ）スケジューリングか否か、又は端末に設定された伝送モード（ｔｒａｎｓｍｉｓｓｉｏｎ  ｍｏｄｅ）などによって異なることがある。
【００８３】
伝送モードは、端末がＰＤＳＣＨ上のダウンリンクデータを受信するように設定（ｃｏｎｆｉｇｕｒａｔｉｏｎ）されるとよい。例えば、ＰＤＳＣＨが搬送するダウンリンクデータには、端末に対するスケジュールされたデータ（ｓｃｈｅｄｕｌｅｄ  ｄａｔａ）、ページング、ランダムアクセス応答又はＢＣＣＨを通じたブロードキャスト情報などがある。ＰＤＳＣＨが搬送するダウンリンクデータは、ＰＤＣＣＨを通じてシグナルされるＤＣＩフォーマットと関係がある。伝送モードは、上位層シグナリング（例えば、ＲＲＣ（Ｒａｄｉｏ  Ｒｅｓｏｕｒｃｅ  Ｃｏｎｔｒｏｌ）シグナリング）により端末に半静的に（ｓｅｍｉ−ｓｔａｔｉｃａｌｌｙ）設定されてもよい。伝送モードは、シングルアンテナ伝送（Ｓｉｎｇｌｅ  ａｎｔｅｎｎａ  ｔｒａｎｓｍｉｓｓｉｏｎ）とマルチアンテナ（Ｍｕｌｔｉ−ａｎｔｅｎｎａ）伝送とに区別されてもよい。
【００８４】
端末には上位層シグナリングにより半静的（ｓｅｍｉ−ｓｔａｔｉｃ）に伝送モードが設定される。例えば、マルチアンテナ伝送には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、又はビーム形成（Ｂｅａｍｆｏｒｍｉｎｇ）などがある。送信ダイバーシティは、多重送信アンテナから同一のデータを伝送し、伝送信頼度を高める技術である。空間多重化は、多重送信アンテナから互いに異なったデータを同時に伝送し、システムの帯域幅を増加させることなく高速のデータを伝送できる技術である。ビーム形成は、多重アンテナでチャネル状態に基づく重みつけ値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【００８５】
ＤＣＩフォーマットは、端末に設定された伝送モードに依存する。端末は、自身に設定された伝送モードによってモニタリングする参照（Ｒｅｆｅｒｅｎｃｅ）ＤＣＩフォーマットがある。端末に設定される伝送モードとしては、下記のように７個の伝送モードが挙げられる。
【００８６】
（１）単一アンテナポート；ポート０
（２）送信ダイバーシティ（Ｔｒａｎｓｍｉｔ  Ｄｉｖｅｒｓｉｔｙ）
（３）開ループ空間多重化（Ｏｐｅｎ−ｌｏｏｐ  Ｓｐａｔｉａｌ  Ｍｕｌｔｉｐｌｅｘｉｎｇ）
（４）閉ループ空間多重化（Ｃｌｏｓｅｄ−ｌｏｏｐ  Ｓｐａｔｉａｌ  Ｍｕｌｔｉｐｌｅｘｉｎｇ）
（５）多重ユーザーＭＩＭＯ
（６）閉ループランク＝１プリコーディング
（７）単一アンテナポート；ポート５
１．２．３  ＰＤＣＣＨ伝送
基地局は、端末に伝送しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣには、ＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））がマスキングされる。特定の端末のためのＰＤＣＣＨであれば、端末固有の識別子（例えば、Ｃ−ＲＮＴＩ（Ｃｅｌｌ−ＲＮＴＩ））がＣＲＣにマスキングされるとよい。又は、ページングメッセージのためのＰＤＣＣＨであれば、ページング指示識別子（例えば、Ｐ−ＲＮＴＩ（Ｐａｇｉｎｇ−ＲＮＴＩ））がＣＲＣにマスキングされてもよい。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））がＣＲＣにマスキングされてもよい。端末のランダムアクセスプリアンブルの伝送に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされてもよい。
【００８７】
続いて、基地局は、ＣＲＣの付加された制御情報をチャネルコーディングし、符号化したデータ（ｃｏｄｅｄ  ｄａｔａ）を生成する。この時、ＭＣＳレベルに従うコードレートにチャネルコーディングを行えばよい。基地局は、ＰＤＣＣＨフォーマットに割り当てられたＣＣＥ集合レベルに従う伝送率マッチング（ｒａｔｅ  ｍａｔｃｈｉｎｇ）を行い、符号化したデータを変調して変調シンボルを生成する。この時、ＭＣＳレベルに従う変調序列を使用すればよい。１つのＰＤＣＣＨを構成する変調シンボルは、ＣＣＥ集合レベルが１、２、４、８のいずれか１つであってよい。その後、基地局は変調シンボルを物理的なリソース要素にマッピング（ＣＣＥ  ｔｏ  ＲＥ  ｍａｐｐｉｎｇ）する。
【００８８】
１．２．４  ブラインドデコーディング（ＢＤ：Ｂｌｉｎｄ  Ｄｅｃｏｄｉｎｇ）
１つのサブフレーム内で複数のＰＤＣＣＨが伝送されることがある。すなわち、１つのサブフレームの制御領域は、インデックス
【００８９】
【化１１】
0006039652.tif 000015
を有する複数のＣＣＥで構成される。ここで、
【００９０】
【化１２】
0006039652.tif 000016
はｋ番目のサブフレームの制御領域内における総ＣＣＥの個数を意味する。端末は毎サブフレームごとに複数のＰＤＣＣＨをモニタリングする。ここでいうモニタリングは、端末が、モニタリングされるＰＤＣＣＨフォーマットによってＰＤＣＣＨのそれぞれのデコーディングを試みることを指す。
【００９１】
サブフレーム内で割り当てられた制御領域において、基地局は端末に、該当するＰＤＣＣＨがどこに位置するかに関する情報を提供しない。端末は、基地局から伝送された制御チャネルを受信するために、自身のＰＤＣＣＨがどの位置でどのＣＣＥ集合レベルやＤＣＩフォーマットで伝送されるかを知らないので、サブフレーム内でＰＤＣＣＨ候補（ｃａｎｄｉｄａｔｅ）の集合をモニタリングして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスキング（Ｄｅ−Ｍａｓｋｉｎｇ）した後、ＣＲＣ誤りを検討し、当該ＰＤＣＣＨが自身の制御チャネルか否かを確認する方法のことをいう。
【００９２】
活性モード（ａｃｔｉｖｅ  ｍｏｄｅ）において、端末は、自身に伝送されるデータを受信するために、毎サブフレームのＰＤＣＣＨをモニタリングする。ＤＲＸモードにおいて、端末は、毎ＤＲＸ周期のモニタリング区間からウォークアップ（ｗａｋｅ  ｕｐ）し、モニタリング区間に該当するサブフレームでＰＤＣＣＨをモニタリングする。ＰＤＣＣＨのモニタリングが行われるサブフレームをｎｏｎ−ＤＲＸサブフレームという。
【００９３】
端末が自身に伝送されるＰＤＣＣＨを受信するには、ｎｏｎ−ＤＲＸサブフレームの制御領域に存在する全てのＣＣＥに対してブラインドデコーディングを行う必要がある。端末は、どのようなＰＤＣＣＨフォーマットが伝送されるか知らないので、毎ｎｏｎ−ＤＲＸサブフレーム内でＰＤＣＣＨのブラインドデコーディングが成功するまで、可能なＣＣＥ集団レベルでＰＤＣＣＨを全部デコーディングしなければならない。端末は、自身のためのＰＤＣＣＨが使用するＣＣＥの個数を知らないので、ＰＤＣＣＨのブラインドデコーディングが成功するまで、全ての可能なＣＣＥ集団レベルで検出を試みなければならない。
【００９４】
ＬＴＥシステムでは、端末のブラインドデコーディングのためにサーチスペース（ＳＳ：Ｓｅａｒｃｈ  Ｓｐａｃｅ）概念を定義する。サーチスペースは、端末がモニタリングするためのＰＤＣＣＨ候補セットを意味し、各ＰＤＣＣＨフォーマットによって異なった大きさを有することがある。サーチスペースには、共用サーチスペース（ＣＳＳ：Ｃｏｍｍｏｎ  Ｓｅａｒｃｈ  Ｓｐａｃｅ）と端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）とがある。
【００９５】
共用サーチスペースについては、全ての端末が共用サーチスペースの大きさを知ることができるが、端末特定サーチスペースは、各端末ごとに個別的に設定される。したがって、端末は、ＰＤＣＣＨをデコーディングするために、端末特定サーチスペース及び共用サーチスペースの両方をモニタリングしなければならず、よって、１つのサブフレームで最大４４回のブラインドデコーディング（ＢＤ）を行うことになる。ここには、異なったＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【００９６】
サーチスペースの制約により、基地局は、与えられたサブフレーム内でＰＤＣＣＨを伝送しようとする全ての端末に対してＰＤＣＣＨを伝送するためのＣＣＥリソースを確保できない場合がある。ＣＣＥ位置が割り当てられて残ったリソースは、特定端末のサーチスペース内に含まれないことがあるからである。続くサブフレームにも生じ得るこのような障壁を最小化するには、端末特定跳躍（ｈｏｐｐｉｎｇ）シーケンスを端末特定サーチスペースの開始地点に適用すればよい。
【００９７】
表４は、共用サーチスペースと端末特定サーチスペースの大きさを表すものである。
【００９８】
【表４】
0006039652.tif 000017
ブラインドデコーディングを試みる回数による端末の負荷を軽減するために、端末は、定義された全てのＤＣＩフォーマットによるサーチを同時に行うことがない。具体的に、端末は、端末特定サーチスペースで常にＤＣＩフォーマット０と１Ａに対するサーチを行う。このとき、ＤＣＩフォーマット０と１Ａは同一の大きさを有するが、端末は、ＰＤＣＣＨに含まれたＤＣＩフォーマット０と１Ａを区別するのに用いられるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）からＤＣＩフォーマットを区別できる。また、端末にＤＣＩフォーマット０とＤＣＩフォーマット１Ａ以外のＤＣＩフォーマットが要求されることもあるが、その一例に、ＤＣＩフォーマット１、１Ｂ、２がある。
【００９９】
共用サーチスペースで端末はＤＣＩフォーマット１Ａと１Ｃをサーチできる。また、端末はＤＣＩフォーマット３又は３Ａをサーチするように設定されることもあり、ＤＣＩフォーマット３及び３ＡはＤＣＩフォーマット０及び１Ａと同一の大きさを有するが、端末は、端末特定識別子以外の識別子でスクランブルされたＣＲＣからＤＣＩフォーマットを区別できる。
【０１００】
サーチスペース
【０１０１】
【化１３】
0006039652.tif 000018
は、集合レベル
【０１０２】
【化１４】
0006039652.tif 000019
に従うＰＤＣＣＨ候補セットを意味する。サーチスペースのＰＤＣＣＨ候補セットに
【化１４−１】
0006039652.tif 000020
【０１０３】
によるＣＣＥは、下記の式１により決定されるとよい。
【０１０４】
【数１】
0006039652.tif 000021
ここで、
【０１０５】
【化１５】
0006039652.tif 000022
は、サーチスペースでモニターするためのＣＣＥ集合レベルＬによるＰＤＣＣＨ候補の個数を表し、
【０１０６】
【化１６】
0006039652.tif 000023
である。
【０１０７】
【化１７】
0006039652.tif 000024
は、ＰＤＣＣＨにおいて各ＰＤＣＣＨ候補で個別ＣＣＥを指定するインデックスを表し、
【０１０８】
【化１８】
0006039652.tif 000025
である。
【０１０９】
【化１９】
0006039652.tif 000026
であり、
【０１１０】
【化２０】
0006039652.tif 000027
は、無線フレーム内でスロットインデックスを表す。
【０１１１】
上述したように、端末は、ＰＤＣＣＨをデコーディングするために、端末特定サーチスペース及び共用サーチスペースの両方をモニタリングする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によりモニタリングされるＰＤＣＣＨ候補を表すものである。
【０１１２】
【表５】
0006039652.tif 000028
上記の式１を参照すると、共用サーチスペースの場合、２個の集合レベル、Ｌ＝４及びＬ＝８に対して
【０１１３】
【化２１】
0006039652.tif 000029
は０に設定される。反面、集合レベルＬに対して、端末特定サーチスペースの場合、
【０１１４】
【化２２】
0006039652.tif 000030
は式２のように定義される。
【０１１５】
【数２】
0006039652.tif 000031
ここで、
【０１１６】
【化２３】
0006039652.tif 000032
であり、
【０１１７】
【化２４】
0006039652.tif 000033
を表す。また、
【０１１８】
【化２５】
0006039652.tif 000034
である。
【０１１９】
２．  キャリアアグリゲーション（ＣＡ：Ｃａｒｒｉｅｒ  Ａｇｇｒｅｇａｔｉｏｎ）環境
２．１  ＣＡ一般
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を利用する。しかし、３ＧＰＰ  ＬＴＥ−Ａｄｖａｎｃｅｄシステム（以下、ＬＴＥ−Ａシステム）では、ＬＴＥシステムに比べてより広帯域のシステム帯域幅を支援するために、一つ以上のコンポーネントキャリアを結合して使用するキャリアアグリゲーション（ＣＡ：Ｃａｒｒｉｅｒ  Ａｇｇｒｅｇａｔｉｏｎ）のような方法を利用することがある。キャリアアグリゲーションは、搬送波集約、搬送波整合、マルチコンポーネントキャリア環境（Ｍｕｌｔｉ−ＣＣ）又はマルチキャリア環境という用語にしてもよい。
【０１２０】
本発明でいうマルチキャリアは、キャリアのアグリゲーション（又は、搬送波集約）を意味し、ここで、キャリアのアグリゲーションは、隣接した（ｃｏｎｔｉｇｕｏｕｓ）キャリア同士の結合だけでなく、非隣接した（ｎｏｎ−ｃｏｎｔｉｇｕｏｕｓ）キャリア同士の結合も意味する。また、ダウンリンクとアップリンク間に結合されるコンポーネントキャリアの数は異なるように設定されてもよい。ダウンリンクコンポーネントキャリア（以下、「ＤＬ  ＣＣ」という。）数とアップリンクコンポーネントキャリア（以下、「ＵＬ  ＣＣ」という。）と数が一致する場合を対称的（ｓｙｍｍｅｔｒｉｃ）結合といい、その数が一致しない場合を非対照的（ａｓｙｍｍｅｔｒｉｃ）結合という。このようなキャリアアグリゲーションは、搬送波集約、帯域幅集約（ｂａｎｄｗｉｄｔｈ  ａｇｇｒｅｇａｔｉｏｎ）、スペクトラム集約（ｓｐｅｃｔｒｕｍ  ａｇｇｒｅｇａｔｉｏｎ）などの用語と同じ意味で使われることもある。
【０１２１】
２つ以上のコンポーネントキャリアが結合して構成されるキャリアアグリゲーションは、ＬＴＥ−Ａシステムでは１００ＭＨｚ帯域幅まで支援することを目標とする。目標帯域よりも小さい帯域幅を有する１個以上のキャリアを結合する時、結合するキャリアの帯域幅は既存のＩＭＴシステムとの互換性（ｂａｃｋｗａｒｄ  ｃｏｍｐａｔｉｂｉｌｉｔｙ）の維持のために、既存システムで使用する帯域幅に制限されてもよい。
【０１２２】
例えば、既存の３ＧＰＰ  ＬＴＥシステムでは｛１．４、３、５、１０、１５、２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために、上記の帯域幅のみを用いて２０ＭＨｚよりも大きい帯域幅を支援するようにしてもよい。また、本発明で用いられるキャリアアグリゲーションシステムは、既存システムで使用する帯域幅によらずに新しい帯域幅を定義し、キャリアアグリゲーションを支援するようにしてもよい。
【０１２３】
また、このようなキャリアアグリゲーションは、イントラ−バンドＣＡ（Ｉｎｔｒａ−ｂａｎｄ  ＣＡ）及びインター−バンドＣＡ（Ｉｎｔｅｒ−ｂａｎｄ  ＣＡ）とに区別されることもある。イントラ−バンドキャリアアグリゲーションとは、複数のＤＬ  ＣＣ及び／又はＵＬ  ＣＣが周波数上で隣接したり近接して位置することを意味する。換言すれば、ＤＬ  ＣＣ及び／又はＵＬ  ＣＣのキャリア周波数が同一のバンド内に位置することを意味する。一方、周波数領域で遠く離れている環境をインター−バンドＣＡ（Ｉｎｔｅｒ−Ｂａｎｄ  ＣＡ）と呼ぶ。換言すれば、複数のＤＬ  ＣＣ及び／又はＵＬ  ＣＣのキャリア周波数が、互いに異なったバンドに位置することを意味する。この場合、端末はキャリアアグリゲーション環境での通信を行うために複数のＲＦ（ｒａｄｉｏ  ｆｒｅｑｕｅｎｃｙ）端を使用してもよい。
【０１２４】
ＬＴＥ−Ａシステムは、無線リソースを管理するためにセル（ｃｅｌｌ）の概念を使用する。そのため、上述したキャリアアグリゲーション環境を多重セル（ｍｕｌｔｉｐｌｅ  ｃｅｌｌｓ）環境と呼ぶこともできる。セルは、ダウンリンクリソース（ＤＬ  ＣＣ）とアップリンクリソース（ＵＬ  ＣＣ）の１対の組み合わせで定義されるが、アップリンクリソースは必須の要素ではない。したがって、セルは、ダウンリンクリソース単独、又はダウンリンクリソース及びアップリンクリソースの組み合わせで構成される。
【０１２５】
例えば、特定端末が１個の設定されたサービングセル（ｃｏｎｆｉｇｕｒｅｄ  ｓｅｒｖｉｎｇ  ｃｅｌｌ）を有する場合に、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数はＤＬ  ＣＣの数と同一又は小さい数を有することができる。又は、逆の形態でＤＬ  ＣＣとＵＬ  ＣＣが構成されることもある。すなわち、特定端末が複数の設定されたサービングセルを有する場合に、ＤＬ  ＣＣの数よりもＵＬ  ＣＣが多いキャリアアグリゲーション環境も支援可能である。
【０１２６】
また、キャリアアグリゲーション（ＣＡ）は、キャリア周波数（セルの中心周波数）がそれぞれ異なる２個以上のセルの結合と理解してもよい。ここでいう「セル（Ｃｅｌｌ）」は、一般的に使われる、基地局がカバーする地理的領域としての「セル」とは区別付ける必要がある。以下では、上述したイントラ−バンドキャリアアグリゲーションをイントラ−バンド多重セルと称し、インター−バンドキャリアアグリゲーションをインター−バンド多重セルと称する。
【０１２７】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として使用可能である。ＲＲＣ＿ＣＯＮＮＥＣＴＥＤ状態にあるが、キャリアアグリゲーションが設定されていないか、又はキャリアアグリゲーションを支援しない端末の場合は、Ｐセルでのみ構成されたサービングセルが１つのみ存在する。反面、ＲＲＣ＿ＣＯＮＮＥＣＴＥＤ状態にあり、且つキャリアアグリゲーションが設定された端末の場合は、１つ以上のサービングセルが存在し、全体サービングセルにはＰセルと１つ以上のＳセルが含まれる。
【０１２８】
サービングセル（ＰセルとＳセル）は、ＲＲＣパラメータにより設定されるとよい。ＰｈｙｓＣｅｌｌＩｄは、セルの物理層識別子であり、０から５０３までの整数値を有する。ＳＣｅｌｌＩｎｄｅｘは、Ｓセルを識別するために用いられる簡略な（ｓｈｏｒｔ）識別子であり、１から７までの整数値を有する。ＳｅｒｖＣｅｌｌＩｎｄｅｘは、サービングセル（Ｐセル又はＳセル）を識別するために用いられる簡略な（ｓｈｏｒｔ）識別子であり、０から７までの整数値を有する。０値はＰセルに適用され、ＳＣｅｌｌＩｎｄｅｘはＳセルに適用するためにあらかじめ付与される。すなわち、ＳｅｒｖＣｅｌｌＩｎｄｅｘにおいて最も小さいセルＩＤ（又はセルインデックス）を有するセルがＰセルとなる。
【０１２９】
Ｐセルは、プライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行ったり、接続再−設定過程を行うのに用いられることもあり、ハンドオーバー過程で指示されたセルを指すこともある。また、Ｐセルは、キャリアアグリゲーション環境で設定されたサービングセルのうち、制御関連通信の中心となるセルを意味する。すなわち、端末は、自身のＰセルでのみＰＵＣＣＨの割り当てを受けて伝送でき、システム情報を獲得したりモニタリング手順を変更する時にはＰセルのみを利用できる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、キャリアアグリゲーション環境を支援する端末に対して、移動性制御情報（ｍｏｂｉｌｉｔｙ  Ｃｏｎｔｒｏｌ  Ｉｎｆｏ）を含む上位層のＲＲＣ接続再設定（ＲＲＣ  Ｃｏｎｎｅｃｔｉｏｎ  Ｒｅｃｏｎｆｉｇｕｔａｉｏｎ）メッセージを用いてハンドオーバー手順のためにＰセルのみを変更することもできる。
【０１３０】
Ｓセルは、セカンダリ周波数（又は、Ｓｅｃｏｎｄａｒｙ  ＣＣ）上で動作するセルを意味できる。特定端末にＰセルは一つのみ割り当てられ、Ｓセルは一つ以上割り当てられることがある。Ｓセルは、ＲＲＣ接続が設定された後に構成可能であり、追加的な無線リソースを提供するのに利用可能である。キャリアアグリゲーション環境で設定されたサービングセルのうち、Ｐセル以外のセル、すなわちＳセルにはＰＵＣＣＨが存在しない。
【０１３１】
Ｅ−ＵＴＲＡＮは、Ｓセルをキャリアアグリゲーション環境を支援する端末に追加する時、ＲＲＣ＿ＣＯＮＮＥＣＴＥＤ状態にある関連セルの動作に関する全てのシステム情報を、特定シグナル（ｄｅｄｉｃａｔｅｄ  ｓｉｇｎａｌ）を通じて提供可能である。システム情報の変更は、関連Ｓセルの解除及び追加によって制御可能であり、この時、上位層のＲＲＣ接続再設定（ＲＲＣ  Ｃｏｎｎｅｃｔｉｏｎ  Ｒｅｃｏｎｆｉｇｕｔａｉｏｎ）メッセージを用いればよい。Ｅ−ＵＴＲＡＮは、関連Ｓセル中にブロードキャストするよりは、端末別に異なったパラメータを有する特定シグナリング（ｄｅｄｉｃａｔｅｄ  ｓｉｇｎａｌｉｎｇ）をするとよい。
【０１３２】
初期保安活性化過程が始まった後に、Ｅ−ＵＴＲＡＮは、接続設定過程で初期に構成されるＰセルに加えて一つ以上のＳセルを含むネットワークを構成できる。キャリアアグリゲーション環境でＰセル及びＳセルはそれぞれのコンポーネントキャリアとして動作可能である。以下の実施例では、プライマリコンポーネントキャリア（ＰＣＣ）はＰセルと同じ意味で使われ、セカンダリコンポーネントキャリア（ＳＣＣ）はＳセルと同じ意味で使われることもある。
【０１３３】
図６は、本発明の実施例で用いられるコンポーネントキャリア（ＣＣ）及びＬＴＥ−Ａシステムで用いられるキャリアアグリゲーションの一例を示す図である。
【０１３４】
図６（ａ）は、ＬＴＥシステムで用いられる単一キャリア構造を示す。コンポーネントキャリアにはＤＬ  ＣＣとＵＬ  ＣＣがある。１つのコンポーネントキャリアは２０ＭＨｚの周波数範囲を有している。
【０１３５】
図６（ｂ）には、ＬＴＥ−Ａシステムで用いられるキャリアアグリゲーション構造を示す。図６（ｂ）は、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限はない。キャリアアグリゲーションでは、端末は３個のＣＣを同時にモニタリングし、ダウンリンク信号／データを受信でき、アップリンク信号／データを送信できる。
【０１３６】
もし、特定セルでＮ個のＤＬ  ＣＣが管理されるとすれば、ネットワークは端末にＭ（Ｍ≦Ｎ）個のＤＬ  ＣＣを割り当てることがある。このとき、端末は、Ｍ個の制限されたＤＬ  ＣＣのみをモニタリングし、ＤＬ信号を受信すればよい。また、ネットワークはＬ（Ｌ≦Ｍ≦Ｎ）個のＤＬ  ＣＣに優先順位を与え、主なＤＬ  ＣＣを端末に割り当てることもあり、このような場合、ＵＥはＬ個のＤＬ  ＣＣは必ずモニタリングしなければならない。このような方式は、アップリンク伝送にも同様に適用可能である。
【０１３７】
ダウンリンクリソースの搬送波周波数（又はＤＬ  ＣＣ）とアップリンクリソースの搬送波周波数（又は、ＵＬ  ＣＣ）とのリンケージ（ｌｉｎｋａｇｅ）は、ＲＲＣメッセージのような上位層メッセージやシステム情報により指示されるとよい。例えば、ＳＩＢ２（Ｓｙｓｔｅｍ  Ｉｎｆｏｒｍａｔｉｏｎ  Ｂｌｏｃｋ  Ｔｙｐｅ  ２）によって定義されるリンケージによってＤＬリソース及びＵＬリソースの組み合わせが構成されてもよい。具体的に、リンケージは、ＵＬグラントを運ぶＰＤＣＣＨが伝送されるＤＬ  ＣＣと、該ＵＬグラントを使用するＵＬ  ＣＣとのマッピング関係を意味することもあり、ＨＡＲＱのためのデータが伝送されるＤＬ  ＣＣ（又はＵＬ  ＣＣ）とＨＡＲＱ  ＡＣＫ／ＮＡＣＫ信号が伝送されるＵＬ  ＣＣ（又はＤＬ  ＣＣ）とのマッピング関係を意味することもある。
【０１３８】
２．２  クロスキャリアスケジューリング（Ｃｒｏｓｓ  Ｃａｒｒｉｅｒ  Ｓｃｈｅｄｕｌｉｎｇ）
キャリアアグリゲーションシステムにおいては、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法の２種類がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ばれることもある。
【０１３９】
自己スケジューリングは、ＰＤＣＣＨ（ＤＬ  Ｇｒａｎｔ）とＰＤＳＣＨが同一のＤＬ  ＣＣで伝送されたり、ＤＬ  ＣＣで伝送されたＰＤＣＣＨ（ＵＬ  Ｇｒａｎｔ）によって伝送されるＰＵＳＣＨが、ＵＬ  Ｇｒａｎｔを受信したＤＬ  ＣＣとリンクされているＵＬ  ＣＣで伝送されることを意味する。
【０１４０】
クロスキャリアスケジューリングは、ＰＤＣＣＨ（ＤＬ  Ｇｒａｎｔ）とＰＤＳＣＨがそれぞれ異なるＤＬ  ＣＣで伝送されたり、ＤＬ  ＣＣで伝送されたＰＤＣＣＨ（ＵＬ  Ｇｒａｎｔ）によって伝送されるＰＵＳＣＨが、ＵＬグラントを受信したＤＬ  ＣＣとリンクされているＵＬ  ＣＣ以外のＵＬ  ＣＣで伝送されることを意味する。
【０１４１】
クロスキャリアスケジューリングは、端末特定（ＵＥ−ｓｐｅｃｉｆｉｃ）に活性化又は非活性化でき、上位層シグナリング（例えば、ＲＲＣシグナリング）により半静的（ｓｅｍｉ−ｓｔａｔｉｃ）に各端末別に知らせられることがある。
【０１４２】
クロスキャリアスケジューリングが活性化された場合、ＰＤＣＣＨには、該ＰＤＣＣＨが指示するＰＤＳＣＨ／ＰＵＳＣＨがどのＤＬ／ＵＬ  ＣＣで伝送されるかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースを、ＣＩＦを用いて複数のコンポーネントキャリのいずれか１つに割り当てることができる。すなわち、ＤＬ  ＣＣ上のＰＤＣＣＨが、多重集約されたＤＬ／ＵＬ  ＣＣのいずれか１つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットは、ＣＩＦによって拡張可能である。この時、設定されたＣＩＦは、３ｂｉｔフィールドと固定されたり、設定されたＣＩＦの位置は、ＤＣＩフォーマットサイズによらずに固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０１４３】
一方、ＤＬ  ＣＣ上のＰＤＣＣＨが、同ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同一のＰＤＣＣＨ構造（同一のコーディング及び同一のＣＣＥベースのリソースマッピング）とＤＣＩフォーマットが用いられればよい。
【０１４４】
クロスキャリアスケジューリングが可能である場合、端末は、ＣＣ別伝送モード及び／又は帯域幅によってモニタリングＣＣの制御領域で複数のＤＣＩに対するＰＤＣＣＨをモニタリングすることが必要である。そこで、これを支援できる検索空間の構成とＰＤＣＣＨモニタリングが必要である。
【０１４５】
キャリアアグリゲーションシステムにおいて、端末ＤＬ  ＣＣ集合は、端末がＰＤＳＣＨを受信するようにスケジューリングされたＤＬ  ＣＣの集合を表し、端末ＵＬ  ＣＣ集合は、端末がＰＵＳＣＨを伝送するようにスケジューリングされたＵＬ  ＣＣの集合を表す。また、ＰＤＣＣＨモニタリング集合（ｍｏｎｉｔｏｒｉｎｇ  ｓｅｔ）は、ＰＤＣＣＨモニタリングを行う少なくとも１つのＤＬ  ＣＣの集合を表す。ＰＤＣＣＨモニタリング集合は、端末ＤＬ  ＣＣ集合と同一であるか、又は、端末ＤＬ  ＣＣ集合の副集合（ｓｕｂｓｅｔ）であってよい。この場合、ＰＤＣＣＨモニタリング集合は、端末ＤＬ  ＣＣ集合内のＤＬ  ＣＣのいずれか少なくとも一つを含む。又はＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己−スケジューリング（ｓｅｌｆ−ｓｃｈｅｄｕｌｉｎｇ）は常に可能なように設定されるとよい。このような端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定可能である。
【０１４６】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別途のシグナリングのような指示は不要である。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジューリングするために、基地局はＰＤＣＣＨモニタリング集合のみを通じてＰＤＣＣＨを伝送する。
【０１４７】
図７は、本発明の実施例で用いられるクロスキャリアスケジューリングによるＬＴＥ−Ａシステムのサブフレーム構造を示す図である。
【０１４８】
図７を参照すると、ＬＴＥ−Ａ端末のためのＤＬサブフレームは、３個のダウンリンクコンポーネントキャリア（ＤＬ  ＣＣ）が結合されており、ＤＬ  ＣＣ「Ａ」がＰＤＣＣＨモニタリングＤＬ  ＣＣに設定された場合を示している。ＣＩＦが使われない場合、各ＤＬ  ＣＣはＣＩＦなしに自身のＰＤＳＣＨをスケジューリングするＰＤＣＣＨを伝送すればいい。反面、ＣＩＦが上位層シグナリングにより用いられる場合には、、１つのＤＬ  ＣＣ「Ａ」のみがＣＩＦを用いて自身のＰＤＳＣＨ又は他のＣＣのＰＤＳＣＨをスケジューリングするＰＤＣＣＨを伝送できる。この時、ＰＤＣＣＨモニタリングＤＬ  ＣＣに設定されていないＤＬ  ＣＣ「Ｂ」と「Ｃ」は、ＰＤＣＣＨを伝送しない。
【０１４９】
３．  ＴＤＤシステムでのアップリンク／ダウンリンクスケジューリング一般
３．１  ＴＤＤシステムでのアップリンク−ダウンリンク構成（ｃｏｎｆｉｇｕｒａｔｉｏｎ）
タイプ２フレーム構造において、アップリンク−ダウンリンク構成（ｃｏｎｆｉｇｕｒａｔｉｏｎ）は、全てのサブフレームがアップリンクとダウンリンクに対していかなる規則により割当（又は予約）されるかを表す。表６は、アップリンク−ダウンリンク構成を表すものである。
【０１５０】
【表６】
0006039652.tif 000035
表６を参照すると、無線フレームの各サブフレーム別に、「Ｄ」はダウンリンク伝送のためのサブフレームを表し、「Ｕ」はアップリンク伝送のためのサブフレームを表し、「Ｓ」はＤｗＰＴＳ、ＧＰ、ＵｐＰＴＳの３種類のフィールドで構成される特別サブフレームを表す。アップリンク−ダウンリンク構成は７つに分類でき、各構成別に、ダウンリンクサブフレーム、特別フレーム、アップリンクサブフレームの位置又は個数が異なっている。
【０１５１】
ダウンリンクからアップリンクに切り替わる時点、又はアップリンクからダウンリンクに切り替わる時点を切替時点（ｓｗｉｔｃｈｉｎｇ  ｐｏｉｎｔ）という。切替時点の周期性（Ｓｗｉｔｃｈ−ｐｏｉｎｔ  ｐｅｒｉｏｄｉｃｉｔｙ）は、アップリンクサブフレームとダウンリンクサブフレームが切り替わる様相が同一に反復される周期を意味し、５ｍｓが支援されることも、１０ｍｓが支援されることもある。５ｍｓダウンリンク−アップリンク切替時点周期の場合、特別サブフレーム（Ｓ）はハーフ−フレームごとに存在し、１０ｍｓダウンリンク−アップリンク切替時点周期の場合には、１番目のハーフ−フレームにのみ存在する。
【０１５２】
いずれの構成においても、０番目、５番目のサブフレーム、及びＤｗＰＴＳは、ダウンリンク伝送のみのための区間である。ＵｐＰＴＳ及び特別サブフレーム直後のサブフレームは常にアップリンク伝送のための区間である。
【０１５３】
このようなアップリンク−ダウンリンク構成はシステム情報であって、基地局、端末の両方で知っている場合がある。基地局は、アップリンク−ダウンリンク構成情報が変わる度に構成情報のインデックスのみを伝送することによって、無線フレームのアップリンク−ダウンリンク割当状態の変更を端末に知らせることができる。また、構成情報は一種のダウンリンク制御情報であって、他のスケジューリング情報と同様に、ダウンリンク制御チャネルであるＰＤＣＣＨ（Ｐｈｙｓｉｃａｌ  Ｄｏｗｎｌｉｎｋ  Ｃｏｎｔｒｏｌ  ＣＨａｎｎｅｌ）で伝送されてもよく、放送情報としてブロードキャストチャネル（ｂｒｏａｄｃａｓｔ  ｃｈａｎｎｅｌ）でセル内の全端末に共通に伝送されてもよい。ＴＤＤシステムにおいて無線フレームに含まれるハーフフレームの個数、ハーフフレームに含まれるサブフレームの個数、及びダウンリンクサブフレームとアップリンクサブフレームの組み合わせは例示にすぎない。
【０１５４】
３．２．  ＴＤＤシステムでのアップリンク／ダウンリンクスケジューリング
ＴＤＤシステムでのダウンリンク／アップリンクサブフレーム構成がアップリンク−ダウンリンク構成（ｃｏｎｆｉｇｕｒａｔｉｏｎ）別に異なるため、ＰＵＳＣＨ及びＰＨＩＣＨ伝送時間は構成によって異なるように設定され、ＰＵＳＣＨ及びＰＨＩＣＨの伝送時間は、サブフレームのインデックス（又は数字）に従って別々に構成されることがある。
【０１５５】
ＬＴＥシステムにおいて、ＰＵＳＣＨとこれに先行するＰＤＣＣＨ、そしてＰＵＳＣＨに対応するダウンリンクＨＡＲＱ  ＡＣＫ／ＮＡＣＫが伝送されるＰＨＩＣＨのアップリンク／ダウンリンクタイミング関係は、あらかじめ定められている。
【０１５６】
表７は、アップリンク−ダウンリンク構成別にＰＤＣＣＨとこれに対応するＰＵＳＣＨの伝送タイミングを表すものである。
【０１５７】
【表７】
0006039652.tif 000036
表７を参照すると、アップリンク−ダウンリンク構成１乃至６において、ｎ番目のダウンリンクサブフレームで基地局からＰＤＣＣＨによってＵＬ  ｇｒａｎｔを受信したり、ＰＨＩＣＨを受信した後に再伝送をしなければならない場合に、端末は、ＰＤＣＣＨ（又はＰＨＩＣＨ）が伝送されたダウンリンクサブフレームインデックス別にそれに対応するｎ＋ｋ番目のアップリンクサブフレームでＰＵＳＣＨを伝送する。ここで、ｋ値は、表７の通りである。
【０１５８】
アップリンク−ダウンリンク構成０では、アップリンクＤＣＩフォーマット内のアップリンクインデックス（ＵＬ  ｉｎｄｅｘ）の値、ＰＨＩＣＨが伝送されるダウンリンクサブフレーム番号、及び上位層に受信されたりＰＵＳＣＨが伝送されるアップリンクサブフレーム番号により決定される値によって、ＰＵＳＣＨ伝送を表７によって伝送したり、ｎ＋７番目のアップリンクサブフレームで伝送したり、又は表７によるアップリンクサブフレーム、ｎ＋７番目のアップリンクサブフレームの両方で伝送できる。
【０１５９】
４．アップリンク−ダウンリンクフレームタイミング
図８は、本発明の実施例で用いられるアップリンク−ダウンリンクタイミングの関係の一つを示す図である。
【０１６０】
図８を参照すると、端末（ＵＥ）は、アップリンク無線フレーム（ＵＬ  Ｒａｄｉｏ  Ｆｒａｍｅ）ｉを、相応するダウンリンク無線フレーム（ＤＬ  Ｒａｄｉｏ  Ｆｒａｍｅ）を伝送する前の
【０１６１】
【化２６】
0006039652.tif 000037
から伝送し始める。このとき、図２で説明したタイプ１フレーム構造では
【０１６２】
【化２７】
0006039652.tif 000038
に設定され、タイプ２フレーム構造では
【０１６３】
【化２８】
0006039652.tif 000039
に設定される。ただし、無線フレームの全スロットが伝送されるのではない。例えば、ＴＤＤシステムでは、無線フレームに属するスロットの一のみが伝送される。
【０１６４】
タイミングアドバンスド命令（ＴＡＣ：Ｔｉｍｉｎｇ  Ａｄｖａｎｃｅｄ  Ｃｏｍｍａｎｄ）を受信すると、端末はプライマリセル（Ｐｃｅｌｌ）のＰＵＣＣＨ／ＰＵＳＣＨ／ＳＲＳに対するアップリンク伝送タイミングを調整する。ＴＡＣは、１６Ｔｓの倍数であり、現在ＵＬタイミングと関連したＵＬタイミングの変更を指示する。セカンダリセル（Ｓｃｅｌｌ）のＰＵＳＣＨ／ＳＲＳに対するＵＬ伝送タイミングはＰセルと同一である。
【０１６５】
ランダムアクセス応答（Ｒａｎｄｏｍ  Ａｃｃｅｓｓ  Ｒｅｓｐｏｎｓｅ）の場合に、１１ビットのＴＡＣ（ＴＡ）はインデックス値（例えば、ＴＡ＝０，１，２，…，１２８２）であり、ＮＴＡを指示する。このとき、タイミング調整のためのタイミングアドバンス値は、ＮＴＡ＝ＴＡ×１６と与えられる。他の場合として、６ビットのＴＡＣ（ＴＡ）は、新しいＮＴＡ（ＮＴＡ，ｎｅｗ）に対する現在ＮＴＡ値（ＮＴＡ，ｏｌｄ）の調整値を表す。例えば、ＮＴＡ，ｎｅｗ＝ＮＴＡ，ｏｌｄ＋（ＴＡ−３１）×１６に設定される。ここで、調整値ＮＴＡは、与えられた値に対してアップリンク伝送タイミングの優先（Ａｄｖａｎｃｅｄ）又は遅延（Ｄｅｌａｙｅｄ）を指示する正の値又は負の値をそれぞれ有する。
【０１６６】
サブフレームｎで受信されたＴＡＣに対して、相応するタイミングの調整は、サブフレームｎ＋６から適用される。タイミング調整によりサブフレームｎ及びｎ＋１でアップリンクＰＵＣＣＨ／ＰＵＳＣＨ／ＳＲＳの伝送が重なる場合に、端末はサブフレームｎは全部伝送し、サブフレームｎ＋１の重なる部分は伝送しない。仮に、ＴＡＣなしに受信したダウンリンクタイミングが変更され、補償されないか、又はアップリンクタイミング調整により部分的にのみ補償されると、ＵＥはＮＴＡを変更する。
【０１６７】
４．１  ＴＡＣ  ＭＡＣ制御要素
図９は、本発明の実施例で用いられるＴＡＣ  ＭＡＣ制御要素の一例を示す図である。
【０１６８】
ＴＡＣ  ＭＡＣ（Ｔｉｍｉｎｇ  Ａｄｖａｎｃｅ  Ｃｏｍｍａｎｄ  Ｍｅｄｉｕｍ  Ａｃｃｅｓｓ  Ｃｏｎｔｒｏｌ）制御要素（ｃｏｎｔｒｏｌ  ｅｌｅｍｅｎｔ）は、論理チャネル識別子（ＬＣＩＤ：Ｌｏｇｉｃａｌ  Ｃｈａｎｎｅｌ  ＩＤ）と共にＭＡＣ  ＰＤＵサブヘッダーにより定義される。下記の表８は、ＬＣＩＤの一例を表すものである。
【０１６９】
【表８】
0006039652.tif 000040
図９で、ＴＡＣ  ＭＡＣ制御要素は、２つのＲフィールド及びＴＡＣフィールドで構成される。このとき、Ｒは、予約値（Ｒｅｓｅｒｖｅｄ  ｂｉｔ）で、「０」に設定され、ＴＡＣフィールドは、端末が適用すべきタイミング調整量を制御するために使用されるＴＡインデックス値を表す。
【０１７０】
図１０は、本発明の実施例で用いられるＭＡＣ  ＰＤＵサブヘッダーの一例を示す図である。
【０１７１】
本発明の実施例において、ＭＡＣ  ＰＤＵは、ＭＡＣヘッダー、０以上のＭＡＣランダムアクセス応答（ＭＡＣ  ＲＡＲ：ＭＡＣ  Ｒａｎｄｏｍ  Ａｃｃｅｓｓ  Ｒｅｓｐｏｎｓｅ）フィールド、及び選択的な埋め草（ｐａｄｄｉｎｇ）値で構成される。ＭＡＣ  ＲＡＲは、ランダムアクセス応答のために用いられる可変的な値を有するＭＡＣヘッダーを表し、０以上のＭＡＣ  ＰＤＵサブヘッダーで構成される。このとき、バックオフ指示（Ｂａｃｋｏｆｆ  Ｉｎｄｉｃａｔｏｒ）サブヘッダー以外のそれぞれのＭＡＣ  ＰＤＵサブヘッダーは、ＭＡＣ  ＲＡＲに相応する。仮に、バックオフ指示サブヘッダーが含まれると、１回のみ含まれ、ＭＡＣ  ＰＤＵヘッダーで最初のサブヘッダーとして含まれる。
【０１７２】
図１０（ａ）を参照すると、ＭＡＣ  ＰＤＵサブヘッダーは、３個のヘッダーフィールドであるＥ／Ｔ／ＲＡＰＩＤで構成され、図１０（ｂ）を参照すると、バックオフ指示サブヘッダーは、５個のヘッダーフィールドであるＥ／Ｔ／Ｒ／Ｒ／ＢＩで構成される。
【０１７３】
ここで、Ｅフィールドは、拡張フィールド（Ｅｘｔｅｎｓｉｏｎ  Ｆｉｅｌｄ）であり、当該ＭＡＣヘッダーに追加的なフィールドがあるか否かを指示する。例えば、Ｅフィールドは、Ｅ／Ｔ／ＲＡＰＩＤフィールドに続く少なくとも１つの別のフィールドがあるか否かを指示する。
【０１７４】
Ｔフィールドは、タイプフィールド（Ｔｙｐｅ  Ｆｉｅｌｄ）であり、当該ＭＡＣサブヘッダーがランダムアクセス識別子（ＩＤ）を含むか又はバックオフ指示子（ＢＩ：Ｂａｃｋｏｆｆ  Ｉｎｄｉｃａｔｏｒ）を含むかを表す。例えば、Ｔフィールドが「０」に設定されると、ＢＩフィールドが当該サブヘッダーに含まれることを指示し、「１」に設定されると、ランダムアクセスプリアンブル識別子（ＲＡＰＩＤ：Ｒａｎｄｏｍ  Ａｃｃｅｓｓ  Ｐｒｅａｍｂｌｅ  ＩＤ）フィールドが含まれることを表す。
【０１７５】
ＢＩフィールドは、バックオフ指示子フィールドであり、当該セルでオーバーロード（ｏｖｅｒｌｏａｄ）条件を識別するために使われ、ＢＩフィールドのサイズは４ビットである。また、ＲＡＰＩＤフィールドは、伝送されるランダムアクセスプリアンブルを識別するために使われ、サイズは６ビットである。
【０１７６】
図１１は、本発明の実施例で用いられるＭＡＣ  ＲＡＲの一例を示す図である。
【０１７７】
図１１を参照すると、ＭＡＣ  ＲＡＲは、４個のフィールドであるＲ／ＴＡＣ／ＵＬ  Ｇｒａｎｔ／Ｔｅｍｐｏｒａｒｙ  Ｃ−ＲＮＴＩで構成される。ＭＡＣ  ＲＡＲに対する埋め草ビットは、ＭＡＣ  ＲＡＲの最後に挿入されるとよい。このとき、埋め草ビットの存在及び長さは、ＴＢ（Ｔｒａｎｓｐｏｒｔ  Ｂｌｏｃｋ）サイズ、ＲＡＲの個数及びＭＡＣヘッダーのサイズに基づいて暗黙的に計算すればいい。
【０１７８】
図１２は、本発明の実施例で用いられるＭＡＣヘッダー及びＭＡＣ  ＲＡＲを含むＭＡＣ  ＰＤＵの一例を示す図である。
【０１７９】
図１２を参照すると、ＭＡＣ  ＰＤＵは、ＭＡＣヘッダー、０以上のＭＡＣ  ＲＡＲ、及び選択的な埋め草ビットで構成される。このとき、０以上のＭＡＣ  ＲＡＲがＭＡＣペイロードを構成できる。また、ＭＡＣヘッダーは、一つ以上のＭＡＣ  ＰＤＵサブヘッダーで構成され、ここで用いられるＭＡＣ  ＰＤＵサブヘッダーについては図１０を参照すればよい。
【０１８０】
図１３は、本発明の実施例で用いられるタイミング調整で考慮される往復遅延値を示す図である。
【０１８１】
ＬＴＥシステム及びＬＴＥ−Ａシステムでは、基地局は、端末の位置と周波数帯域の伝播特性を考慮して端末が送信するＵＬ信号の開始点を定めるために、タイミング調整（ＴＡ：Ｔｉｍｉｎｇ  Ａｄｊｕｓｔｍｅｎｔｓ／Ａｄｖａｎｃｅ）メッセージを伝達する。
【０１８２】
基地局が伝達するＴＡ値は、往復遅延（ＲＴＤ：Ｒｏｕｎｄ  Ｔｒｉｐ  Ｄｅｌａｙ）値で表現できる。例えば、ＴＡ値は、アップリンクとダウンリンクの伝播遅延時間（ｐｒｏｐａｇａｔｉｏｎ  ｄｅｌａｙ）の和に最大チャネルインパルス応答遅延（ｍａｘｉｍｕｍ  ｃｈａｎｎｅｌ  ｉｍｐｕｌｓｅ  ｒｅｓｐｏｎｓｅ  ｄｅｌａｙ）値を加えた値と表現される。すなわち、ＴＡ値は、各端末の位置と周波数帯域の伝播特性を考慮して、基地局が、同一時間に端末が送信したＵＬ信号を受信してデコーディングを行うためのものである。そのために、端末は、ＦＤＤ（タイプ１フレーム構造）及びＴＤＤ（タイプ２フレーム構造）においてＴＡだけＵＬ無線フレームの送信開始点を優先（ａｄｖａｎｃｅ）して送信する。これに関する実施例は図８で説明した通りであり、
【０１８３】
【化２９】
0006039652.tif 000041
範囲に属し、ＦＤＤでは
【０１８４】
【化３０】
0006039652.tif 000042
であり、ＴＤＤでは
【０１８５】
【化３１】
0006039652.tif 000043
である。
【０１８６】
図１４は、本発明の実施例で用いられるＴＡ値を用いたＤＬ／ＵＬ伝送タイミングの一例を示す図である。
【０１８７】
図１４を参照すると、基地局は、ステージ１においてＤＬ無線フレームを送信する。該ＤＬ無線フレームは各端末に伝送されるが、各端末の位置及び周波数帯域の伝播特性により、ＤＬ信号伝播遅延（ＤＬ  ｓｉｇｎａｌ  ｐｒｏｐａｇａｔｉｏｎ  ｄｅｌａｙ）だけの伝送遅延が発生する。ここで、端末１（ＵＥ１）のＲＴＤが
【０１８８】
【化３２】
0006039652.tif 000044
端末２（ＵＥ２）のＲＴＤが
【０１８９】
【化３３】
0006039652.tif 000045
のような値に設定されるとすれば、ＤＬ信号伝播遅延はそれぞれ、
【０１９０】
【化３４】
0006039652.tif 000046
のような値を有することになり、ＵＬ信号伝播遅延も、
【０１９１】
【化３５】
0006039652.tif 000047
のような値を有することになる。
【０１９２】
各端末は、受信したＤＬ無線フレームに基づいて、ＵＬ無線フレームの送信開始点を
【０１９３】
【化３６】
0006039652.tif 000048
だけ優先（ａｄｖａｎｃｅ）して送信し、これら送信したＵＬ無線フレームはそれぞれ、
【０１９４】
【化３７】
0006039652.tif 000049
だけのＵＬ伝播遅延を経る（ステージ２）。結局、ＴＡによる
【０１９５】
【化３８】
0006039652.tif 000050
だけ優先して伝送されたＵＬ無線フレームは、ＤＬ／ＵＬ伝播遅延の和と相殺され、基地局は、各端末が送信したＵＬ無線フレームの開始点を同一に受信することができる（ステージ３）。
【０１９６】
一方、キャリアアグリゲーション（ＣＡ：Ｃａｒｒｉｅｒ  Ａｇｇｒｅｇａｔｉｏｎ）システムは、一つの端末に構成（ｃｏｎｆｉｇｕｒｅｄ）されたセルが隣接帯域間周波数（以下、イントラバンド（ｉｎｔｒａ  ｂａｎｄ）という）を有するイントラバンドＣＡと、構成されたセルが遠く離れた周波数（以下、インターバンド（ｉｎｔｅｒ  ｂａｎｄ）という）を有するインターバンドＣＡとに区別可能である。
【０１９７】
イントラバンドＣＡ状況では、一つの端末に構成された各セルが有する周波数帯域特性が類似しているため、端末の位置と周波数帯域の伝播特性により生じるＲＴＤの値が、構成されたセル間において大差はない。しかし、インターバンドＣＡ状況では、各セルが有する周波数帯域特性が大きく異なることがある。すなわち、電波の到達範囲や回折特性のような伝播特性が異なるため、インターバンドＣＡでは各セルのＴＡ値が異なるように運営されることが好ましい。
【０１９８】
図１５は、本発明の実施例であって、１つの端末に２つのセルが構成された状況で各セル間送信タイミングが一致する場合を示す図である。
【０１９９】
図１５を参照すると、１つの端末に２つのセル（例えば、Ｐセル及びＳセル）が構成された状況で、基地局が送信した無線フレームが当該端末に受信される時間が同一であることがわかる。ここで、ｔ１は、Ｐセルに対するＤＬ伝播遅延を表し、ｔ２は、ＰセルとＳセルとの受信差タイミング（ｄｉｆｆｅｒｅｎｃｅ  ｒｅｃｅｉｖｉｎｇ  ｔｉｍｉｎｇ）を表す。このとき、ｔ２は、同期信号あるいは基準信号を用いて測定すればよい。
【０２００】
図１５では、各セルで送信する無線フレームの開始タイミングが一致するが、各セルの伝播特性により各端末が受信する無線フレームに伝播遅延が発生する場合を示している。既存の無線接続システムではＰセルを基準にしたＴＡ値を、基地局が端末に送信するため、当該端末はｔ１の２倍に該当するＴＡ値をＭＡＣメッセージから受信できる。
【０２０１】
この時、端末はＳセルのＴＡ値を決定するためにｔ１＋ｔ２値を用いればよい。すなわち、Ｐセルを基準にしたＴＡ値と、ＰセルのＤＬ同期信号（あるいは基準信号）とＳセルの同期信号（あるいは基準信号）を用いて獲得した受信差タイミング値との和から、ＳセルのＴＡ値を算出できる。ただし、基地局が各セルで伝送したダウンリンクフレームの送信タイミングが一致しない場合には、端末は、図１５で説明した方法でＴＡ値を計算することができない。
【０２０２】
図１６は、本発明の実施例であって、１つの端末に２つのセルが構成された状況で各セル間送信タイミングが一致しない場合を示す図である。
【０２０３】
基地局が２つ以上のセルを通じて端末に無線フレームを伝送する場合に、それらの送信フレームの送信開始タイミングが一致しないことがある。このような場合にも同様、各セルで送信された無線フレームはそれぞれのＤＬ伝播遅延を経ることになる。
【０２０４】
ここで、ｔ１はＰセルに対するＤＬ伝播遅延値を表し、ｔ２は、受信したＰセルとＳセルとの受信差タイミング値を表す。端末は、Ｐセルを基準にしたＴＡ値と、同期信号あるいは基準信号を用いてＳセルの受信差タイミング値（ｔ２）を獲得できる。しかし、図１６では、端末がＳセルのＴＡ値（すなわち、ｔ２＋X値）は算出できない。ＳセルのためのＴＡ値はｔ２＋X値と表現できるが、端末は、ＰセルとＳセルの伝送開始タイミングが一致せず、X値に関する情報を獲得できないからである。
【０２０５】
特に、上述したインターバンドＣＡ（又は、インターバンド多重ＣＡ）状況では、図１６と同様、各セルで送信する信号のタイミングを一致させるのが極めて困難である。各セルで使用する周波数帯域の特性が著しく異なることから、各周波数帯域によるＲＦ素子を別々に使用するしかなく、それぞれのＲＦ素子は、使用される周波数帯域によってそれぞれ異なる非線形特性と遅延時間を有するからである。
【０２０６】
また、インターバンドＣＡ状況では、必ず各セルで送信する信号のタイミングを一致させるべきという条件は、基地局及びネットワークにおいて深刻な制約となる。インターバンドＣＡ状況においては各セルでダウンリンク信号の送信タイミングの不一致状況を排除することはできないからである。
【０２０７】
その上、既存ではＰセルでのみタイミングアドバンスが定義されていたが、ＣＡ環境では既存のＰセルのに加えて一つ以上のＳセルが端末に構成されるので、既存のＰセルを基準にしたタイミングアドバンス伝送方式をＳセルにそのまま使用することができない。
【０２０８】
４．２  ＴＡ値割当方法
上述したような問題点から、インターバンドＣＡでは、各インターバンドに属したセルに対して、基地局はそれぞれのセルに対するＴＡ値を割り当てることが好ましい。そこで、以下では、端末に２つのセルが構成される場合に、基地局が各セルに対するＴＡ値を端末に送信することによって、端末が各セルに対してタイミングアドバンスを行う方法について具体的に説明する。
【０２０９】
ここで、２つ以上のセルがいずれもインターバンドで構成される場合、端末は、全てのセルに対するＴＡ値を必要とすることとなる。また、１つ以上のセルがグループ化して１つのバンドを構成する場合、必要なＴＡ値の個数は、当該バンドの個数に相当することとなる。本発明の実施例では、端末が必要とするＴＡ値の個数を多重ＴＡ（ｍｕｌｔｉｐｌｅ  ＴＡ）と呼ぶものとする。
【０２１０】
本発明の実施例において、現在のＴＡ値は、ＭＡＣメッセージによって端末に搬送され、該ＭＡＣメッセージの形態は、ＲＡＲ（Ｒａｎｄｏｍ  Ａｃｃｅｓｓ  Ｒｅｓｐｏｎｓｅ）のための場合と、トラッキング（ｔｒａｃｋｉｎｇ）のための場合において異なるように構成されるとよい。例えば、ＲＡＲのために割り当てられたＴＡ値は１１ビットで構成され、トラッキングのために割り当てられたＴＡ値は６ビットで構成されるとよい。
【０２１１】
４．２．１  ＤＣＩフォーマットを用いたＴＡ値割当方法
図１７は、本発明の実施例であって、ＤＣＩフォーマットを用いてＴＡ値を割り当てる方法を示す図である。
【０２１２】
図１７を参照すると、基地局（ｅＮＢ）は、ＰＤＣＣＨ内のＤＣＩフォーマットの予約ビット（ｒｅｓｅｒｖｅｄ  ｂｉｔｓ）を用いて、ＭＡＣメッセージによって搬送されるＴＡ値がどのサービングセルに対するものかを区別又は指示してもよい（Ｓ１７１０）。
【０２１３】
例えば、基地局は、ＤＣＩフォーマット１Ａの予約ビットとしてＨＡＲＱプロセス回数（Ｈｙｂｒｉｄ  ＡＲＱ  ｐｒｏｃｅｓｓ  ｎｕｍｂｅｒ）フィールド又はダウンリンク割当インデックス（ただし、ＴＤＤでのみ）フィールドを用いたり、ＤＣＩフォーマット１Ｃに埋められる（ｐａｄ）予約ビット用いて、ＴＡ値を指示できる（すなわち、ＴＡ値が適用されるサービングセルを指示できる）。この時、予約ビットは、特定サービングセルを指示するためのサービングセル指示子として使用可能である。
【０２１４】
ＦＤＤにおいてＨＡＲＱプロセス回数フィールドは、ＨＡＲＱプロセス回数の最大値（８）の中で現在のＨＡＲＱプロセスを表現するために用いられるため、３ビットで構成され、ＴＤＤにおいてＨＡＲＱプロセス回数は、表９のように、ＨＡＲＱプロセス回数の最大値（１５）の中で現在プロセスを表現するために用いられるため、４ビットで構成されるとよい。下記の表９は、ＴＤＤにおいてＵＬ／ＤＬ構成によるＨＡＲＱプロセスの最大回数を表すものである。
【０２１５】
【表９】
0006039652.tif 000051
しかし、ＨＡＲＱプロセス回数フィールドは、ＤＣＩフォーマット１ＡのＣＲＣがＲＡ−ＲＮＴＩ、Ｐ−ＲＮＴＩ又はＳＩ−ＲＮＴＩでスクランブリング又はマスキングされているならば、予約値として用いられる。そのため、ＨＡＲＱプロセス回数フィールドを、ＴＡを区別或いは指示する情報として活用できる。
【０２１６】
再び図１７のＳ１７１０段階を参照すると、基地局は、ＰＤＣＣＨのＤＣＩフォーマット１ＡのＣＲＣをＲＡ−ＲＮＴＩ、Ｐ−ＲＮＴＩ又はＳＩ−ＲＮＴＩでスクランブリングすることによって、予約ビットであるＨＡＲＱプロセス回数フィールドを用いて、ＭＡＣメッセージに含まれるＴＡ値が、端末に構成された２つ以上のセルのうち、どのセル又はどのバンドのためのＴＡ値であるかを表す情報として用いられてもよい。すなわち、ＭＡＣメッセージに含まれるＴＡ値がＰセルのためのＴＡ値として固定して用いられるのではなく、ＨＡＲＱプロセス回数フィールドを用いて、多数のサービングセルのうちどのサービングセル又はどのバンドのためのＴＡ値かを指示する情報として活用されてもよい。
【０２１７】
例えば、基地局がＦＤＤにおいて５個のセルが構成された端末（ＵＥ）にＤＣＩフォーマット１ＡのＨＡＲＱプロセス回数フィールドを下記の表１０のようにして伝送すると、端末は、ＭＡＣメッセージによって搬送されたＴＡ値がどのセルのためのＴＡ値であるかが判断及び区別できる。ＴＤＤでは、ＨＡＲＱプロセス回数フィールドは４ビットで構成され、表１０で表したビットの先頭に「０」を追加することによって設定すればよい。
【０２１８】
下記の表１０は、ＨＡＲＱプロセス回数フィールドの一例を表すものである。
【０２１９】
【表１０】
0006039652.tif 000052
表１０を参照すると、ＨＡＲＱプロセス回数フィールドが３を表すと、端末は、ＭＡＣメッセージに含まれたＴＡ値が、サービングセルインデックス４が指示するサービングセルのＴＡ値であることが認識できる。ただし、表１０に表したＨＡＲＱプロセス回数（Ｈｙｂｒｉｄ  ＡＲＱ  ｐｒｏｃｅｓｓ  ｎｕｍｂｅｒ）フィールドとサービングセルインデックス（ＳｅｒｖＣｅｌｌＩｎｄｅｘ）フィールドとのマッピング関係は、例示に過ぎず、別の表又はマッピング関係にしてもよい。このとき、基地局は、多重ＴＡを支援するために、ＨＡＲＱプロセス回数フィールドとサービングセルインデックスフィールドとの新しい表又はマッピング方法を、ＲＲＣシグナリング（図示せず）で端末に指示すればよい。
【０２２０】
再び図１７を参照すると、基地局は、図９乃至図１１で説明したＭＡＣメッセージを用いて、端末に一つ以上のＴＡ値又は多重ＴＡ値を伝送できる（Ｓ１７２０）。
【０２２１】
端末は、Ｓ１７２０段階で受信したＴＡ値が、Ｓ１７１０段階で受信したＰＤＣＣＨのＤＣＩフォーマットの予約値が指示するサービングセルに対するＴＡ値であることが認識でき、当該サービングセルに対する無線フレームの送信タイミングを定めることができる。したがって、端末は、指示されたサービングセルでＴＡ値を反映してＵＬフレーム／ＵＬ信号を基地局に伝送することができる（Ｓ１７３０）。
【０２２２】
他の方式として、基地局は、一つ以上のサービングセルをグループにしてＴＡ値を端末に割り当ててもよい。例えば、一つ以上のサービングセルをグループにした場合、一つ以上のサービングセルは１つのバンドを形成し、Ｓ１７１０段階で予約値は一つ以上のバンドを指示できる。このような場合、端末は、ＭＡＣメッセージに含まれたＴＡ値を、当該バンドに対するＴＡ値として認識し、当該バンドに含まれたサービングセルでＵＬ無線フレームに対してＴＡ値を適用して基地局に伝送できる。
【０２２３】
さらに他の方式として、図１７で、基地局及び端末は、ＨＡＲＱプロセス回数フィールドとサービングセルインデックスフィールドとのマッピング関係を、既存のＲＲＣシグナリングで受信したＣＩＦとサービングセルインデックスフィールドとのマッピング関係と同一に適用してもよい。
【０２２４】
４．２．２  ＣＩＦを用いたＴＡ値割当方法
ＤＣＩフォーマットにＣＩＦフィールドが構成される場合に、基地局は、ＭＡＣメッセージを用いて送信するＴＡ値が、ＣＩＦフィールドが指示するサービングセルインデックスに対するＴＡ値であることを端末に指示してもよい。
【０２２５】
例えば、基地局がＣＩＦフィールドとサービングセルインデックスとのマッピング関係をＲＲＣシグナリングを用いて端末に知らせてもよい（図示せず）。こうする場合、Ｓ１７１０段階で、ＰＤＣＣＨ信号に含まれたＣＩＦ（Ｃａｒｒｉｅｒ  Ｉｎｄｉｃａｔｏｒ  Ｆｉｅｌｄ）フィールドは、ＲＲＣシグナリングにより知らせられたマッピング関係によって特定サービングセルを指示する。このとき、端末がＳ１７２０段階でＴＡ値を含むＭＡＣメッセージを受信すると、端末は、Ｓ１７３０段階で、ＭＡＣメッセージに含まれたＴＡ値を、ＣＩＦフィールドが指示するサービングセルで適用してＵＬフレーム／ＵＬ信号を伝送すればよい。
【０２２６】
この時、基地局及び端末は、ＣＩＦとサービングセルインデックス（ＳｅｒｖＣｅｌｌＩｎｄｅｘ）との関係については既存のＲＲＣシグナリングで受信した情報をそのまま活用してもよいが、基地局は、多重ＴＡを支援するためにＣＩＦとサービングセルインデックスとの新しい表又はマッピング関係をＲＲＣシグナリングで端末に指示してもよい。
【０２２７】
４．２．３  ＭＡＣメッセージを用いたＴＡ値割当方法
基地局は、ＭＡＣメッセージを結合（ａｇｇｒｅｇａｔｉｏｎ）して多重ＴＡ値を端末に送信することによって、端末がＵＬ無線フレームの送信タイミングを調節できるようにしてもよい。
【０２２８】
例えば、基地局は、端末に構成されたｎ個のサービングセルの個数分のＭＡＣメッセージを結合する場合がある。この場合、ＭＡＣメッセージのペイロードサイズは、既存のＰセルのみのためのＴＡ値に比べてｎ倍大きくなる。
【０２２９】
又は、基地局は、端末に構成された全てのサービングセルに対してＭＡＣメッセージを結合するのではなく、インターバンドの個数ｍ分のＭＡＣメッセージを結合してもよい。この場合、インターバンドは、一つ以上のサービングセルが結合された多重インターバンドＣＡを意味し、一つ以上のインターバンドが端末に構成され得る。こうすると、ＭＡＣメッセージのペイロードサイズは、既存のＰセルのみのためのＴＡ値に比べてｍ倍となり、端末は、同一のインターバンドに属した一つ以上のサービングセルに対して同一のＴＡ値を適用できる。すなわち、端末は、同一のインターバンドに属したサービングセルに対して同一のＴＡ値を適用し、ＵＬ無線フレームの伝送タイミングを決定することができる。
【０２３０】
４．２．４  無線フレームの伝送タイミング差値を割り当てる方法
基地局は、各サービングセルで送信する無線フレームの伝送タイミング差値（ｄｉｆｆｅｒｅｎｃｅ  ｔｒａｎｓｍｉｔ  ｔｉｍｉｎｇ）を端末に送信してもよい。例えば、図１６のように２個のサービングセルが端末に構成された場合に、Ｐセルの無線フレーム伝送のタイミングとＳセルの無線フレーム伝送タイミングとの差値（ｙ）は、ｔ１−X値と表現可能である。このような場合、端末は、ｔ１−ｙ＋ｔ２値を、Ｓセルに対するＴＡ値（すなわち、X＋ｔ２）として算出できる。
【０２３１】
４．２．４．１  上位層シグナル利用方法
基地局は、伝送タイミング差値（ｙ）を、上位層シグナル（ｈｉｇｈｅｒ  ｌａｙｅｒ  ｓｉｇｎａｌ）を用いて端末に送信してもよい。例えば、上位層シグナルとしては、ＲＲＣシグナリング又はＭＡＣシグナリングを利用できる。
【０２３２】
この時、ｙ値は、Ｐセルを基準にして各Ｓセルに対する伝送タイミング差値で構成するとよい。
【０２３３】
又は、伝送タイミング差値（ｙ）は、サービングセルインデックス間の順次的な伝送タイミング差値で構成してもよい。
【０２３４】
また、基地局は、全てのサービングセルに対する伝送タイミング差値を端末に伝送するのではなく、インターバンドに対する伝送タイミング差値を端末に伝送してもよい。
【０２３５】
４．２．４．２  ＰＤＣＣＨ信号利用方法
基地局は、伝送タイミング差値（ｙ）を、ＤＣＩフォーマットの一定ビットを用いて端末に伝送してもよい。例えば、ＤＣＩフォーマットの一定ビットは、図１７で説明したＤＣＩフォーマットの予約値を利用することがある。このような場合、ＤＣＩフォーマットの予約値を設定する方法は、４．２．１節又は４．２．２節で説明した方法を適用すればよい。
【０２３６】
この時、ｙ値は、Ｐセルを基準にして各Ｓセルに対する伝送タイミング差値で構成されるとよい。
【０２３７】
又は、伝送タイミング差値（ｙ）は、サービングセルインデックス間の順次的な伝送タイミング差値で構成されてもよい。
【０２３８】
また、基地局は、全てのサービングセルに対する伝送タイミング差値を端末に伝送するのではなく、インターバンドに対する伝送タイミング差値を端末に伝送してもよい。
【０２３９】
５．装置
図１８で説明した装置は、図１乃至図１７で説明した方法を具現できる手段である。
【０２４０】
端末（ＵＥ：Ｕｓｅｒ  Ｅｑｕｉｐｍｅｎｔ）は、アップリンクでは送信機として動作し、ダウンリンクでは受信機として動作できる。また、基地局（ｅＮＢ：ｅ−ＮｏｄｅＢ）は、アップリンクでは受信機として動作し、ダウンリンクでは送信機として動作できる。
【０２４１】
すなわち、端末及び基地局は、情報、データ及び／又はメッセージの送信及び受信を制御するために、それぞれ、送信モジュール（Ｔｘ  ｍｏｄｕｌｅ）１８４０，１８５０及び受信モジュール（Ｒｘ  ｍｏｄｕｌｅ）１８５０，１８７０を備えており、情報、データ及び／又はメッセージを送受信するためのアンテナ１８００，１８１０などを備えている。
【０２４２】
また、端末及び基地局はそれぞれ、上述した本発明の実施例を実行するためのプロセッサ１８２０，１８３０、及びプロセッサの処理過程を臨時的に又は持続的に保存するメモリー１８８０，１８９０を備えている。
【０２４３】
上述した端末及び基地局装置の構成成分及び機能を用いて本願発明の実施例を実行することができる。例えば、基地局のプロセッサは、上述の１節乃至４節に開示された方法を組み合わせ、伝送タイミング（ＴＡ）値又は伝送タイミング差値（ｙ）を端末に割当及び伝送できる。端末のプロセッサは、基地局が伝送したＴＡ値又はｙ値を用いて、一つ以上のサービングセルに対してタイミング調整を行うことができる。詳細な方法は、１節乃至４節の説明を参照すればよい。
【０２４４】
端末及び基地局に含まれた送信モジュール及び受信モジュールは、データ伝送のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング、及び／又はチャネル多重化機能を実行することができる。また、図１８の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えてもよい。
【０２４５】
一方、本発明において、端末としては、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０２４６】
ここで、スマートフォンとは、移動通信端末機と個人携帯端末機のメリットを結合した端末機で、移動通信端末機に、個人携帯端末機の機能である日程管理、ファックス送受信及びインターネット接続などのデータ通信機能を組み合わせた端末機のことを意味する。また、マルチモードマルチバンド端末機とは、マルチモデムチップを組み込んでおり、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（登録商標）（Ｗｉｄｅｂａｎｄ  ＣＤＭＡ）システム等）のいずれにおいても作動可能な端末機のことをいう。
【０２４７】
本発明に係る実施例は、様々な手段、例えば、ハードウェア、ファームウェア（ｆｉｒｍｗａｒｅ）、ソフトウェア又はそれらの結合などにより具現可能である。
【０２４８】
ハードウェアによる具現の場合、本発明の実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現可能である。
【０２４９】
ファームウェアやソフトウェアによる具現の場合、本発明の実施例に係る方法は、以上で説明された機能又は動作を行うモジュール、手順又は関数などの形態で具現されてもよい。例えば、ソフトウェアコードは、メモリーユニット１８８０，１８９０に格納されて、プロセッサ１８２０，１８３０により駆動されてもよい。メモリーユニットは、プロセッサの内部又は外部に設けられて、公知の様々な手段によりプロセッサとデータを交換してもよい。
【０２５０】
本発明は、本発明の技術的思想及び必須特徴から逸脱しない範囲で他の特定の形態に具体化可能であるということは、当業者にとっては明らかである。したがって、上記の詳細な説明は、いずれの面においても制約的に解釈されてはならず、例示的なものとして考慮されなければならない。本発明の範囲は、添付した請求項の合理的な解釈により決定されるべきであり、よって、本発明の等価的範囲内における変更はいずれも本発明の範囲に含まれる。なお、特許請求の範囲で明示的な引用関係を有しない請求項を結合して実施例を構成してもよく、出願後の補正により新しい請求項として含めてもよい。
【産業上の利用可能性】
【０２５１】
本発明の各実施例は、様々な無線接続システムに適用可能である。様々な無線接続システムの例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これら様々な無線接続システムの他に、これら様々な無線接続システムを応用したいずれの技術分野にも適用可能である。
【図１】
0006039652.tif 000053
【図２】
0006039652.tif 000054
【図３】
0006039652.tif 000055
【図４】
0006039652.tif 000056
【図５】
0006039652.tif 000057
【図６】
0006039652.tif 000058
【図７】
0006039652.tif 000059
【図８】
0006039652.tif 000060
【図９】
0006039652.tif 000061
【図１０（ａ）】
0006039652.tif 000062
【図１０（ｂ）】
0006039652.tif 000063
【図１１】
0006039652.tif 000064
【図１２】
0006039652.tif 000065
【図１３】
0006039652.tif 000066
【図１４】
0006039652.tif 000067
【図１５】
0006039652.tif 000068
【図１６】
0006039652.tif 000069
【図１７】
0006039652.tif 000070
【図１８】
0006039652.tif 000071